(57)【要約】【課題】ＰｏＣ通信を行なうＰｏＣ機能端末が同時に通信する他のＰｏＣ通信端末の発言権に対して規制する信号を生成しうるＰｏＣ機能制御システム、ＰｏＣ機能制御方法、ＰｏＣ機能端末並びにＰｏＣ機能制御プログラムを提供する。【解決手段】ＰｏＣ機能を備える複数のＰｏＣ機能端末とサーバとがＰｏＣ通信によって接続されるＰｏＣ機能制御システムにおいて、第一のＰｏＣ機能端末はＰｏＣ通信におけるその他のＰｏＣ機能端末の発言権取得開始信号と発言権取得禁止信号の送信機能を備え、前記サーバはＳＩＰサーバ機能と前記発言権取得開始信号と前記発言権取得禁止信号を受信機能とＰｏＣ機能を備える。特に、前記その他のＰｏＣ機能端末は、前記発言権取得開始信号が送信された後に前記その他のＰｏＣ機能端末に設けられた発言開始キーの第１回目の押下で発言権を取得し、前記発言開始キーの第２回目の押下で発言権を開放するよう構成される【選択図】図１
2009089094.tif 000002
【特許請求の範囲】
【請求項１】
ＰｏＣ（ＰＵＳＨ−ｔｏ−Ｔａｌｋ  ｏｖｅｒ  Ｃｅｌｌｕｌａｒ）機能を備える複数のＰｏＣ機能端末とサーバとがＰｏＣ通信によって接続されるＰｏＣ機能制御システムにおいて、
第一のＰｏＣ機能端末は、ＰｏＣ通信におけるその他のＰｏＣ機能端末の発言権取得開始信号と発言権取得禁止信号の送信機能を備え、
前記サーバは、ＳＩＰサーバ機能と前記発言権取得開始信号と前記発言権取得禁止信号の受信機能とＰｏＣ機能を備えるＰｏＣ機能制御システム。
【請求項２】
前記その他のＰｏＣ機能端末は、前記発言権取得開始信号が送信された後に前記その他のＰｏＣ機能端末に設けられた発言開始キーの第１回目の押下で発言権を取得し、前記発言開始キーの第２回目の押下で発言権を開放するよう構成されることを特徴とする請求項１記載のＰｏＣ機能制御システム。
【請求項３】
前記第一のＰｏＣ機能端末は、前記その他のＰｏＣ機能端末のうちの一端末が発言権取得中にサーバ制御信号を送信予約する機能を備えることを特徴とする請求項１または２いずれか一つに記載のＰｏＣ機能制御システム。
【請求項４】
前記サーバは、前記第一のＰｏＣ機能端末によるサーバ制御信号を受信並びに記憶する機能を備えることを特徴とする請求項１乃至３いずれか一つに記載のＰｏＣ機能制御システム。
【請求項５】
前記サーバは、前記第一のＰｏＣ機能端末の送信するテキスト送信用サーバ制御信号を受信するとテキスト情報をその他のＰｏＣ機能端末に送信することを特徴とする請求項１乃至４いずれか一つに記載のＰｏＣ機能制御システム。
【請求項６】
前記サーバは、前記第一のＰｏＣ機能端末の送信する音声送信用サーバ制御信号を受信すると音声情報をその他のＰｏＣ機能端末に送信することを特徴とする請求項１乃至４いずれか一つに記載のＰｏＣ機能制御システム。
【請求項７】
前記第一のＰｏＣ機能端末を除くＰｏＣ機能端末のうちの一端末が発言権取得中に、第一のＰｏＣ機能端末は、サーバ制御信号を送信予約する機能を備えることを特徴とする請求項１乃至６いずれか一つに記載のＰｏＣ機能制御システム。
【請求項８】
第一のＰｏＣ機能端末は、ＰｏＣ通信におけるその他のＰｏＣ機能端末の発言権取得開始信号の送信後に発言権を取得したＰｏＣ機能端末からの音声信号について前記サーバの記憶装置に格納する音声信号記憶制御信号を送信できることを特徴とする請求項１乃至７いずれか一つに記載のＰｏＣ機能制御システム。
【請求項９】
前記サーバは、第一のＰｏＣ機能端末による音声信号記憶制御信号を受けて、発言権を取得したＰｏＣ機能端末からの音声信号を記憶装置に格納することを特徴とする請求項１乃至８いずれか一つに記載のＰｏＣ機能制御システム。
【請求項１０】
前記サーバは、第一のＰｏＣ機能端末による音声信号記憶制御信号を受けて、発言権を取得したＰｏＣ機能端末からの音声信号をさらに音声テキスト変換してテキスト情報として記憶装置に格納することを特徴とする請求項１乃至９いずれか一つに記載のＰｏＣ機能制御システム。
【請求項１１】
ＰｏＣ機能を備える複数のＰｏＣ機能端末とサーバとがＰｏＣ通信によって接続されるＰｏＣ機能制御方法において、
第一のＰｏＣ機能端末は、ＰｏＣ通信におけるその他のＰｏＣ機能端末の発言権取得開始信号を送信する発言権取得開始信号送信工程と、
第一のＰｏＣ機能端末は、発言権取得禁止信号の送信する工程と、
前記サーバは、ＳＩＰサーバ機能とＰｏＣ機能とにおいて、前記発言権取得開始信号を送信する工程と、前記発言権取得禁止信号を受信する工程とを備えるＰｏＣ機能制御方法。
【請求項１２】
前記発言権取得開始信号送信工程の後に、前記その他のＰｏＣ機能端末は、前記発言権取得開始信号が送信された後に前記その他のＰｏＣ機能端末に設けられた発言開始キーの第１回目の押下で発言権を取得する工程と、前記発言開始キーの第２回目の押下で発言権を開放する工程を有することを特徴とする請求項１１記載のＰｏＣ機能制御方法。
【請求項１３】
前記第一のＰｏＣ機能端末は、発言権取得ＰｏＣ機能端末が発言権取得中に、第一のＰｏＣ機能端末は、サーバ制御信号を送信予約することを特徴とする請求項１１または１２いずれか一つに記載のＰｏＣ機能制御方法。
【請求項１４】
前記サーバは、前記第一のＰｏＣ機能端末によるサーバ制御信号を受信並びに記憶することを特徴とする請求項１１乃至１３いずれか一つに記載のＰｏＣ機能制御方法。
【請求項１５】
前記サーバは、前記第一のＰｏＣ機能端末の送信するテキスト送信用サーバ制御信号を受信するとテキスト情報をその他のＰｏＣ機能端末に送信することを特徴とする請求項１１乃至１４いずれか一つに記載のＰｏＣ機能制御方法。
【請求項１６】
前記サーバは、前記第一のＰｏＣ機能端末の送信する音声送信用サーバ制御信号を受信すると音声情報をその他のＰｏＣ機能端末に送信することを特徴とする請求項１１乃至１５いずれか一つに記載のＰｏＣ機能制御方法。
【請求項１７】
前記第一のＰｏＣ機能端末を除くＰｏＣ機能端末のうち発言権を取得した一端末が発言権取得中に、第一のＰｏＣ機能端末は、サーバ制御信号を送信予約することを特徴とする請求項１１乃至１６いずれか一つに記載のＰｏＣ機能制御方法。
【請求項１８】
第一のＰｏＣ機能端末は、ＰｏＣ通信におけるその他のＰｏＣ機能端末の発言権取得開始信号の送信後に、発言権を取得したＰｏＣ機能端末からの音声信号について、前記サーバの記憶装置に格納する音声信号記憶制御信号を送信することを特徴とする請求項１１乃至１７いずれか一つに記載のＰｏＣ機能制御方法。
【請求項１９】
前記サーバは、第一のＰｏＣ機能端末による音声信号記憶制御信号を受けて、発言権を取得したＰｏＣ機能端末からの音声信号を記憶装置に格納することを特徴とする請求項１１乃至１８いずれか一つに記載のＰｏＣ機能制御方法。
【請求項２０】
前記サーバは、第一のＰｏＣ機能端末による音声信号記憶制御信号を受けて、発言権を取得したＰｏＣ機能端末からの音声信号をさらに音声テキスト変換してテキスト情報として記憶装置に格納することを特徴とする請求項１１乃至１９いずれか一つに記載のＰｏＣ機能制御方法。
【請求項２１】
ＰｏＣ機能を備えるＰｏＣ機能制御システムに接続されるＰｏＣ機能端末において、
ＰｏＣ通信におけるその他のＰｏＣ機能端末の発言権取得開始信号と発言権取得禁止信号の送信機能を備えるＰｏＣ機能端末。
【請求項２２】
前記その他のＰｏＣ機能端末は、前記発言権取得開始信号が送信された後に、前記その他のＰｏＣ機能端末に設けられた発言開始キーの第１回目の押下で発言権を取得し、前記発言開始キーの第２回目の押下で発言権を開放するよう構成されることを特徴とする請求項２１記載のＰｏＣ機能端末。
【請求項２３】
他の発言権取得ＰｏＣ機能端末が発言権取得中に、サーバ制御信号を送信予約する機能を備えることを特徴とする請求項２１または２２いずれかひとつに記載のＰｏＣ機能端末。
【請求項２４】
ＰｏＣ機能を備える複数のＰｏＣ機能端末とサーバとがＰｏＣ通信によって接続されるＰｏＣ機能制御プログラムにおいて、
第一のＰｏＣ機能端末は、ＰｏＣ通信におけるその他のＰｏＣ機能端末の発言権取得開始信号を送信する工程と、
第一のＰｏＣ機能端末は、発言権取得禁止信号の送信する工程と、
前記サーバは、ＳＩＰサーバ機能とＰｏＣ機能とにおいて、前記発言権取得開始信号を送信する工程と、前記発言権取得禁止信号を受信する工程とを備えるＰｏＣ機能制御プログラム。
【請求項２５】
前記発言権取得開始信号を送信する工程の後に、前記その他のＰｏＣ機能端末は、前記発言権取得開始信号が送信された後に前記その他のＰｏＣ機能端末に設けられた発言開始キーの第１回目の押下で発言権を取得する工程と、
前記発言開始キーの第２回目の押下で発言権を開放する工程を有することを特徴とする請求項２４記載のＰｏＣ機能制御制御プログラム。
【請求項２６】
前記第一のＰｏＣ機能端末は、前記その他のＰｏＣ機能端末のうちの一端末が発言権取得中に、サーバ制御信号を送信予約することを特徴とする請求項２４または２５いずれか一つに記載のＰｏＣ機能制御プログラム。
【請求項２７】
前記サーバは、前記第一のＰｏＣ機能端末によるサーバ制御信号を受信並びに記憶することを特徴とする請求項２４乃至２６いずれか一つに記載のＰｏＣ機能制御プログラム。
【請求項２８】
前記サーバは、前記第一のＰｏＣ機能端末の送信するテキスト送信用サーバ制御信号を受信すると、テキスト情報をその他のＰｏＣ機能端末に送信することを特徴とする請求項２４乃至２７いずれか一つに記載のＰｏＣ機能制御プログラム。
【請求項２９】
前記サーバは、前記第一のＰｏＣ機能端末の送信する音声送信用サーバ制御信号を受信すると、音声情報をその他のＰｏＣ機能端末に送信することを特徴とする請求項２４乃至２８いずれか一つに記載のＰｏＣ機能制御プログラム。
【請求項３０】
前記第一のＰｏＣ機能端末を除くＰｏＣ機能端末は、それらのうちの一端末が発言権取得中に、第一のＰｏＣ機能端末はサーバ制御信号を送信予約することを特徴とする請求項２４乃至２９いずれか一つに記載のＰｏＣ機能制御プログラム。
【請求項３１】
第一のＰｏＣ機能端末は、ＰｏＣ通信におけるその他のＰｏＣ機能端末の発言権取得開始信号送信後に発言権を取得したＰｏＣ機能端末からの音声信号について前記サーバの記憶装置に格納する音声信号記憶制御信号を送信することを特徴とする請求項２４乃至３０いずれか一つに記載のＰｏＣ機能制御プログラム。
【請求項３２】
前記サーバは、第一のＰｏＣ機能端末による音声信号記憶制御信号を受けて、発言権を取得したＰｏＣ機能端末からの音声信号を記憶装置に格納することを特徴とする請求項２４乃至３１いずれか一つに記載のＰｏＣ機能制御プログラム。
【請求項３３】
前記サーバは、第一のＰｏＣ機能端末による音声信号記憶制御信号を受けて、発言権を取得したＰｏＣ機能端末からの音声信号をさらに音声テキスト変換してテキスト情報として記憶装置に格納することを特徴とする請求項２４乃至３２いずれか一つに記載のＰｏＣ機能制御プログラム。
【発明の詳細な説明】
【技術分野】
【０００１】
本発明は、ＰｏＣ（ＰＵＳＨ−ｔｏ−Ｔａｌｋ  ｏｖｅｒ  Ｃｅｌｌｕｌａｒ：ポック）機能制御システム、ＰｏＣ機能制御方法、ＰｏＣ機能端末並びにＰｏＣ機能制御プログラムに関し、特にＰｏＣ機能端末が他のＰｏＣ機能端末の発言権を制御できるＰｏＣ機能制御システム、ＰｏＣ機能制御方法、ＰｏＣ機能端末並びにＰｏＣ機能制御プログラムに関する。
【背景技術】
【０００２】
ＰｏＣは、１対１の接続だけでなく、１対Ｎ接続のグループ間通信をも可能とするコミュニケーション手段である。ＰｏＣサービスにおいては、携帯端末をトランシーバのように利用することができ、会話を開始するためには、通話先の電話番号をダイヤルすることなく、通話ボタンを押すだけで通話可能となり、また、複数のユーザと同時に通話を行うことができる。
【０００３】
ＰｏＣ通信では、本来発言権が公平に取得されることが理想であり、例えば特許文献１では発言権を公平に取得できる方法が開示されている。
【０００４】
特許文献１では、「ＰｏＣ通信における発言権に関する制御を行うＰｏＣサーバ１００において、ＰｏＣ通信に必要なセッション確立処理の後、ＰｏＣ通信における発言権が開放された状態に設定する。そして、発言権が開放されている旨を、ＰｏＣ通信を行う端末ＴＡ、ＴＣへ通知する。ＰｏＣ通信開始時に発側着側の両ユーザに対して同時に、発言権
の空き状態を通知することで、発言権の公平な取得を実現できる」ように構成されている。
【０００５】
【特許文献１】特開２００７−２８５９６号公報
【発明の開示】
【発明が解決しようとする課題】
【０００６】
ところが、アプリケーションによっては、発言権をそのアプリケーションを活用するリーダが制御することが好ましい場合もあった。具体的に、集合教育において教師と受講者のいずれにも平等に発言権を備えると授業の進行上、障害となる場合が生じていた。すなわち、平等に発言権を確保すると、教師の制御の範囲内でのＰｏＣ通信が実行されないという課題が生じていた。すなわち、生徒の発言権を教師が制御できないためである。
【０００７】
さらに、教育現場における生徒の評価や成績は、筆記試験や課題提出がメインであるが、授業中の生徒の発言を評価の一部に取り入れると更に良いと考えられる。しかしながら授業中に誰がどんな発言をしていたかを教師が記憶しておくのは難しい。ＩＣレコーダで授業中の発言を全部記録しておき授業後に得点をつけるにしても、手間と時間がかかる上に、誰の発言かを聞き分けるのは困難である。また発言時に出席簿などの紙媒体にメモを取っておき、後ほどテストの点数に加点することもできるが、確証や履歴を保存しておく意味ではシステムにて管理することが望ましい。
【０００８】
そこで、本発明の目的は、第一にＰｏＣ通信を行なうＰｏＣ機能端末が同時に通信する他のＰｏＣ通信端末の発言権に対して規制する信号を生成しうるＰｏＣ機能制御システム、ＰｏＣ機能制御方法、ＰｏＣ機能端末並びにＰｏＣ機能制御プログラムを提供することにある。すなわち、教育現場での使用においては、生徒側のＰｏＣ機能端末は、教師側のＰｏＣ機能で許諾した際にのみ発言権の取得をできるように構成することにある。
【０００９】
第二に、本発明の目的は、前記第一のＰｏＣ機能端末が他のＰｏＣ機能端末に発言権取得を認めている間にサーバ宛のサーバ制御信号を生成可能に構成することにある。すなわち、教育現場でＰｏＣ通信を行い生徒にＰｏＣ機能端末で発言させた場合に、その評価の点数を教師のＰｏＣ機能端末からサーバ側へ送信できるように構成することにある。
【課題を解決するための手段】
【００１０】
以上の発明の目的を達成するために、本発明の主旨の第１の側面であるＰｏＣ機能制御システムは、ＰｏＣ（ＰＵＳＨ−ｔｏ−Ｔａｌｋ  ｏｖｅｒ  Ｃｅｌｌｕｌａｒ）機能を備える複数のＰｏＣ機能端末とサーバとがＰｏＣ通信によって接続されるＰｏＣ機能制御システムにおいて、第一のＰｏＣ機能端末は、ＰｏＣ通信におけるその他のＰｏＣ機能端末の発言権取得開始信号と発言権取得禁止信号の送信機能を備え、前記サーバは、ＳＩＰサーバ機能と前記発言権取得開始信号と前記発言権取得禁止信号の受信機能とＰｏＣ機能を備える。
【００１１】
続いて本発明の主旨の第２の側面であるＰｏＣ機能制御方法は、ＰｏＣ機能を備える複数のＰｏＣ機能端末とサーバとがＰｏＣ通信によって接続されるＰｏＣ機能制御方法において、第一のＰｏＣ機能端末は、ＰｏＣ通信におけるその他のＰｏＣ機能端末の発言権取得開始信号を送信する発言権取得開始信号送信工程と、第一のＰｏＣ機能端末は、発言権取得禁止信号の送信する工程と、前記サーバは、ＳＩＰサーバ機能とＰｏＣ機能とにおいて、前記発言権取得開始信号を送信する工程と、前記発言権取得禁止信号を受信する工程とを備える。
【００１２】
さらに、本発明の主旨の第３の側面であるＰｏＣ機能端末は、ＰｏＣ機能を備えるＰｏＣ機能制御システムに接続されるＰｏＣ機能端末において、ＰｏＣ通信におけるその他のＰｏＣ機能端末の発言権取得開始信号と発言権取得禁止信号の送信機能を備える。
【００１３】
また、本発明の主旨の第４の側面であるＰｏＣ機能制御プログラムは、ＰｏＣ機能を備える複数のＰｏＣ機能端末とサーバとがＰｏＣ通信によって接続されるＰｏＣ機能制御プログラムにおいて、第一のＰｏＣ機能端末は、ＰｏＣ通信におけるその他のＰｏＣ機能端末の発言権取得開始信号を送信する工程と、第一のＰｏＣ機能端末は、発言権取得禁止信号の送信する工程と、前記サーバは、ＳＩＰサーバ機能とＰｏＣ機能とにおいて、前記発言権取得開始信号を送信する工程と、前記発言権取得禁止信号を受信する工程とを備える。
【００１４】
上記のように構成することで、従来の携帯電話のＰｏＣの技術を応用したシステムを用いて上記課題の解決を図ることとなる。本発明では、一般的に多い１人の教師と複数人の生徒で構成される授業において、口頭で発言した教師の質問に対し、生徒が口頭で回答をするシチュエーションを想定している。ＰｏＣの技術を応用する理由は以下の３点にある。
【００１５】
まず第１に、教師が口頭で出す質問に対して１度に回答できる生徒は一人であるため、発言者が発言権を獲得するＰｏＣが適しているからである。
【００１６】
第２に、ＰｏＣは途中参加が可能なため、授業に遅れてきた生徒も後から参加することが可能であり、また授業の出席確認も可能となる。
【００１７】
第３に、生徒の発言中、教師の採点中のときのみプッシュするため料金の使い方が効率的となる。
【００１８】
具体的な授業の流れを説明する。
【００１９】
教師、生徒はＰｏＣ機能を要する携帯電話を持って授業に臨む。まず教師は初期設定をした後、授業に参加する生徒に対してＰｏＣ通信への参加を呼びかける。参加を呼びかけられた生徒はＰｏＣ通信に入った後、ディスプレイが見えるよう机の上に携帯電話を置いておく。生徒の参加を確認したら教師も同様に机の上に携帯電話を置き、授業を開始する。授業が開始された時点でキー操作が可能なのは教師のみとなる。
【００２０】
授業中に教師が生徒に質問をする場合、教師は口頭で生徒に対して質問を投げかけると共に、携帯電話で生徒の質問を受付けるための「発言受付開始」のキーを押下する。この時点で、生徒のキー操作が有効化され、ＰｏＣの発言権を獲得する機会を与えられる。質問に対して回答したい生徒は、「発言開始」キーを押下して発言権を獲得した後、口頭にて答えを述べる。このときの発言は生徒側の携帯電話のマイクを通してサーバ側に一時的に保存される。回答を述べ終わった時点で生徒は「発言終了」キーを押下し、ＰｏＣ発言権を手放す。一方で教師は、発言を聞きながら（ＰｏＣ発言権は生徒にある状態）、その発言に対してオフラインで得点をつけ、また有用なコメントであると感じた場合はサーバに記録しておくよう設定を行う（操作は教師用ＰｏＣ機能付携帯電話端末６のキーを押下することで行う）。生徒の発言権が解放された時点で、教師の操作履歴は自動的にサーバ側に送信され、サーバ側で得点の集計等を行う。
【００２１】
このようなシステムを使用することで、教師は授業後に、サーバが集計した情報を参照することで、生徒の発言に与えた得点を簡単に確認することができる。またデータの確証、履歴として保存しておくことも可能となる。
【発明の効果】
【００２２】
第一に本発明に係るＰｏＣ機能制御システム、ＰｏＣ機能制御方法、ＰｏＣ機能端末並びにＰｏＣ機能制御プログラムを提供することで、第一のＰｏＣ機能端末が他のＰｏＣ機能端末の発言権を規制できるため、発言権の制御が必要な状況でのＰｏＣ機能端末の使用がスムーズに進行させることができるという効果がある。
【００２３】
第二に本発明を実施することで、前記第一のＰｏＣ機能端末が他のＰｏＣ機能端末に発言権取得を認めている間にサーバ宛のサーバ制御信号を生成可能となり、本来、他のＰｏＣ機能端末が発言して、音声を送信している際に前記第一のＰｏＣ機能端末にサーバ制御用信号を入力可能となるため、時間が有効に活用できるとともにＰｏＣ機能のスムーズな運用が可能となるという効果がある。
【００２４】
第三に本発明を実施することで、授業中の生徒の発言に対して簡単に採点が行えるという効果がある。その理由はどの生徒が発言したか、どういった内容の発言をしたかを教師が覚えておく必要はなく、どの端末からの発言であるか、発言に対してどういった評価がされたかの情報をサーバ側で自動的に管理させるようにしたためである。また広く普及している携帯電話を使用することで、新たな端末を導入するのに比較して消費者に操作性において違和感が少ないという面でも効果がある。
【００２５】
第四に本発明を実施することでＴＶ電話会議システムのような接続時間に対して料金が発生するのではなく、発言時に対してのみ料金が発生するため、料金の使い方が効率的であるという効果がある。その理由は、ＰｏＣ通信を応用したシステムとしたためである。
【００２６】
第五に本発明を実施することで生徒の授業への出欠についても教師が意識することなくデータを収集できるという効果がある。その理由は途中参加が可能なＰｏＣ通信を応用したシステムとしたためであり、サーバ側で授業への参加時刻を記録できるようにしたためである。
【００２７】
第六に本発明を実施することで、発言時のＰｏＣキーの使用方法を工夫することで使用勝手の向上をしているという効果がある。その理由は、従来のＰｏＣではキーを押しっ放しにしている間のみ発言権が獲得できる仕組みであるが、本発明では一度目のキー押下で発言権の獲得、二度目のキー押下で発言権の開放をするようにしたためである。
【発明を実施するための最良の形態】
【００２８】
以下に、この発明の実施形態例を、図面を用いて説明する。
【実施例１】
【００２９】
図１は、本発明に係るＰｏＣ機能制御システム１の構成図である。このＰｏＣ機能制御システム１は、サーバ２とＰｏＣ機能端末すなわち、ＰｏＣ機能付携帯電話端末６，８，１０，１２がＰｏＣ通信網４を介して接続される。
【００３０】
サーバ２は、従来のＰｏＣサーバと同様に機能するＳＩＰ（Ｓｅｓｓｉｏｎ  Ｉｎｉｔｉａｔｉｏｎ  Ｐｒｏｔｏｃｏｌ：エスアイピー）サーバ１４とＰｏＣ機能ブロック１６と、本発明の機能を実現するオプション管理部１８と、ユーザ管理部２２とから構成される。
【００３１】
ＳＩＰサーバ１４は、ＰｏＣ通信で使用するＩＰ（Ｉｎｔｅｒｎｅｔ  Ｐｒｏｔｏｃｏｌ：アイピー）セッションを確立するサーバであり、従来から存在するＳＩＰサーバと同様に構成される。
【００３２】
ＰｏＣ機能ブロック１６は、トークセッションの確立及び切断処理を行なうセッション制御機能と、発言権の付与と開放の処理を行なう発言権制御機能と、発言権を保持するＰｏＣ機能端末のユーザから受信した音声データを、トークセッションに参加中の他のユーザのＰｏＣ機能端末に対して送信する制御機能と、グループ間通信をサポートし、グループのメンバーの管理運営を行うＧＬＭＳ（Ｇｒｏｕｐ  ａｎｄ  ＬＩＳＴ  Ｍａｎａｇｅｍｅｎｔ  Ｓｅｒｖｅｒ：ジーエルエムエス）機能を備える。
【００３３】
オプション管理部１８は、発言権自動開放までの時間データと、ＰｏＣ機能のトークセッションに参加する最大参加可能人数データを格納するオプションデータ２０と接続される。教師用ＰｏＣ機能端末６からＰｏＣ通信網４を開始する際に指定されてオプションデータ２０に格納される「発信権自動開放までの時間」と「最大参加可能人数」を管理し、ＰｏＣ機能ブロック１６に設定値を渡す役割を持つ。
【００３４】
ユーザ管理部２２は、各接続されるＰｏＣ機能端末に対応するＳＩＰアドレスデータと氏名データとサーバ２で集計された集計データと各ＰｏＣ機能端末保持者が授業グループに参加開始した時間データとＰｏＣ機能端末からの音声データのうち保存指令が出されて格納されている音声データが格納されているユーザデータ２４と接続される。ユーザ管理部２２は、ＳＩＰサーバ１４がセッションを張った後、ＰｏＣ通信４でやり取りされる教師／生徒のデータを監視するブロックである。教師用ＰｏＣ機能付携帯電話端末６から送付される得点を集計や、生徒が授業へ入った時間、生徒の発言の音声データ、およびＰｏＣ機能端末のユーザ管理部３８から送付されるユーザ名の一元管理を行う。一時的にサーバ２に保存される生徒の発言の音声データを、教師用ＰｏＣ機能付携帯電話端末６の指示で保存したり、また指示がない場合に自動的に削除したりするのも本ブロックの役割である。
【００３５】
ＰｏＣ通信網４は、移動体通信網を含むインターネットやＮＧＮなどの通信ネットワークである。ここで、移動体通信網は、ＰＤＣ（Ｐｅｒｓｏｎａｌ  Ｄｉｇｉｔａｌ  Ｃｅｌｌｕｌａｒ：パーソナルデジタルセルラー）方式、ＣＤＭＡ２０００（Ｃｏｄｅ  Ｄｉｖｉｓｉｏｎ  Ｍｕｌｔｉｐｌｅ  Ａｃｃｅｓｓ  ２０００：シーディーエムエーニセン）方式、Ｗ―ＣＤＭＡ（Ｗｉｄｅｂａｎｄ  ＣＤＭＡ：ダブリューシーディーエムエー）方式、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：オーエフディーエム）方式、ＰＨＳ（Ｐｅｒｓｏｎａｌ  Ｈａｎｄｙ−ｐｈｏｎｅ  Ｓｙｓｔｅｍ：ピーエイチエス）方式、或いは、その他移動体の通信に利用可能な通信方式を採用した通信網である。
【００３６】
ＰｏＣ機能付携帯電話端末６，８，１０，１２は、全て少なくとも以下に説明する機能を有する携帯電話端末であり、詳細には図２，３，４を参照して説明するが、ＰｏＣ機能付き携帯電話は使う立場によって３通りに分けられる。ＰｏＣ通信の発起人に相当する教師（ＰｏＣ機能付携帯電話端末６）と、授業に参加する生徒に分類され、更に生徒は発言者（ＰｏＣ機能付携帯電話端末８）と傍聴者（ＰｏＣ機能付携帯電話端末１０，１２）に分けられる。発言者と傍聴者は発言者が代わる度に入れ替わる。発言している１名以外は全て傍聴者である。なお、本実施例では生徒用ＰｏＣ機能付携帯電話端末については、本来１５台について記載すべきであるが、煩雑さをさけるため代表として８，１０，１２のみを例示して説明した。以下に記載した実施例２〜５についても同様に記載した。
【００３７】
このＰｏＣ機能付携帯電話端末６，８，１０，１２は、従来のＰｏＣ機能付き携帯電話に対して機能拡張したものであり、機能構成図を図２に示し、ハードウエア上のブロック構成図を図３に示し、外観図を図４に示す。
【００３８】
図２に示す本発明に係るＰｏＣ機能付携帯電話端末６，８，１０，１２の機能構成図は、呼制御に関する基本機能３０とＰｏＣ電話帳３２は従来の一般的な機能であるが、それに加えて本発明を実現するための追加機能制御部３３とオプション管理部３４とモード制御部３６とユーザ管理部３８から構成される。
【００３９】
呼制御に関する基本機能３０は、図３に示されるハードウエア上のブロック構成図に示されるブロックの一部の機能であって、従来の携帯電話機能の部分であり、各部の制御を行なう制御部４２と各種の情報を記憶するための記憶部４４とＰｏＣ通信を含むサーバ２と通信を行なう通信部４６と通信部４６の送出する電波を送信し、サーバ２からの電波を受信するアンテナ４８とマイク５３とスピーカ５１を含む音声入出力５０とサーバ２からの指示などを表示させる液晶や有機ＥＬ板等から構成される表示部５２とキーボードから構成される操作部５４とＰＯＣキー５６から構成される。なお、ＰｏＣキー５６は呼制御に関する基本機能３０ではない。
【００４０】
また、ＰｏＣ電話帳３２は、各ＰｏＣ機能付携帯電話の電話番号リストとＰｏＣ通信を行なうよう設定されるグループのグループリストから構成され、ここでは、教師用ＰｏＣ機能付携帯電話６の番号と生徒用ＰｏＣ機能付携帯電話８，１０，１２の電話番号とそれらがグループであることを示すリストが電子データとして格納される。
【００４１】
一方、追加機能制御部３３は、オプション管理部３４、モード制御部３６、ユーザ管理部３８を司るブロックであり、表示部５２で本発明に係る機能を表示するためのＧＵＩの画面データを表示して、入力信号に応じてこれらのブロックを制御する。
【００４２】
オプション管理部３４は、ＰｏＣ通信を開始する際に教師用ＰｏＣ機能付携帯電話端末６で設定されるオプションを受信するブロックである。図５に示すような発言権自動開放までの時間（一回の発言の最大時間）と、最大参加可能人数（授業に参加できる最大人数）を管理し、呼制御ブロックに対して情報を引き渡す役割を持つ。図５の例では授業に参加できる最大人数を１５人に、一回の最大発言時間は４５秒に設定している。オプション管理部３４への入力は教師用ＰｏＣ機能付携帯電話６の操作部５４から入力され、ＰｏＣ通信網４を経由してサーバ２に送信されオプション管理部１８を介してオプションデータ２０に格納される。なお、ここで、１実施例として最大人数を１５人とし、最大発言時間を４５秒と設定したが、この人数や時間に制限されるものでない事は言うまでもない。
【００４３】
モード制御部３６は、使用者毎に異なるモードを提供するためのブロックである。モードとしては教師が使用する「教師専用モード」、生徒の発言者が使用する「発言者モード」、発言者以外の生徒が使用する「傍聴者モード」がある。図６にはそれぞれのモード時に使用できる機能を記載している。
【００４４】
第一に発起人に対して設定される教師専用モードについて説明する。教師専用モードが持つ機能を使用する場合は、各機能に割り付けられたキーを押下することで行う。例えば、図６では生徒からの発言を募集する場合、携帯電話のファンクションキー１（図４における５８）を押下することで生徒に対してＰｏＣ発言権の獲得の機会を与える。逆に発言権を取り上げる場合は受付終了キー（ファンクションキー１）５８を押下する。生徒が発言しているとき（生徒が発言権を保持しているとき）は採点機能と音声保存機能を使用する。採点は、生徒の発言に対する点数を決めた上で、キー６２にて点数と終了デリミタ（例では＃６４）を入力することで行う。また生徒の意見が有用であった場合、教師の判断によってサーバ２に音声データとして保存することができる。実際には生徒が発言を開始した時点からサーバ２への保存が開始されるが、発言終了までに教師が保存希望を出さない場合（ファンクションキー２（６０）を押さない限り）は、サーバ２で自動的に消去される。なお、本実施例ではファンクションキー１に受付開始と受付終了、ファンクションキー２には発言記録の機能を割り振っている。この割振りは固有の割り振りではなく、ユーザの設定により任意のキーに割振るよう設定することは設計変更の範囲内である。
【００４５】
第二に発言者モードについて説明する。教師の質問に対して、発言したい生徒が使用するモードである。教師の受付開始キー押下に起因して生徒側のＰｏＣ発言が可能になった状態で、ＰｏＣキー５６を押下することで、このモードに遷移する。通常のＰｏＣではＰｏＣキー５６を押し続けている間だけ話をすることができる仕様であるが、本発明では、ＰｏＣキー５６を一度押下することで発言権を獲得し、もう一度ＰｏＣキー５６を押すことで発言権を開放する仕組みを使用する。
【００４６】
第三に傍聴者モードについて説明する。１名の生徒が発言者であるとき、それ以外の生徒は全て傍聴者モードに遷移する。発言者の意見に対して賛成６６か、反対６８かをキー操作にて行うことができる。教師が採点する場合も同様だが、生徒の発言中に行う動作（発言権を持たない状態）であるため、一時的に端末側で操作履歴をユーザ管理部５８にバッファリングしておき、発言者が発言終了キー（ＰｏＣキー）５６を押下した後に、これら情報が順にサーバ２へ自動的に送信される。
【００４７】
ユーザ管理部３８は、サーバ２側でＳＩＰアドレスとユーザ名を対応させるために必要なユーザ名の情報をサーバに送信する機能、および教師／生徒のキー操作による結果をサーバ２に送信する機能を有するブロックである。
【００４８】
ここで、本発明に係るＰｏＣ機能付携帯電話端末の外観図である図４について説明する。ＰｏＣ機能付携帯電話端末４０は、本実施例ではスピーカ５１と表示部５２を搭載した上体部とマイク５３と操作部５４を搭載した下体部とが中央に設けられたヒンジを介して折り曲げ自在に配置された形状で構成されており、操作部５４の中には、ＰｏＣキー５６、ファンクションキー１（５８）、ファンクションキー２（６０）、テンキー６２、から構成されている。なお、ファンクションキーやＰｏＣキーの位置を本実施例では図４に示す位置に記載しているが、これらのキーは図４の位置固有のものではなく、他の位置に配置することは設計変更の範囲内であることは言うまでもない。
【００４９】
また、本発明の実施例１におけるオプションが図５に示されており、本例では発言権自動開放までの時間は４５秒と設定され、最大参加可能人数は１５人であり、１クラスの人数が設定される。
【００５０】
さらに本発明の実施例１におけるモードは、教師用モードと発言者モードと傍聴者モードに分かれており、教師専用モードにおける機能は、「生徒の発言の受付開始」機能はファンクションキー１に割り振られ、「生徒の発言の受付終了」もまた、機能はファンクションキー１に割り振られ、「採点」機能は「数字キー＋＃（デリミタキー）」に割り振られ、発言記録キーはファンクションキー２に割り振られる。
【００５１】
発言者用モードにおける機能は、「発言開始」機能に対してＰｏＣキーが割り振られ、「発言終了」機能に対してもＰｏＣキーが割り振られる。
【００５２】
傍聴者モードでは、「意見の賛成」が数字１キーに割り振られ、「意見の反対」が数字９キーに割り振られている。
【００５３】
本発明に係るＰｏＣ機能制御方法、並びにＰｏＣ機能制御プログラムを示す実施例１の動作について、図７に示されるフローチャートを用いて説明する。図７は、左からサーバ２のフロー、教師用ＰｏＣ機能付携帯電話端末６のフロー、発言者用ＰｏＣ機能付携帯電話端末８のフロー、傍聴者ＰｏＣ機能付携帯電話端末１０，１２の各フローについて示す。
【００５４】
このフローにおいて、流れ線を４種類に区分しており、第一の区分がＰｏＣ機能付携帯電話端末において、回線がサーバと接続されており、端末に対する操作が信号としてサーバに直ちに送信されるオンライン操作可能状態であり、ここで、図７では４重線で表示される。すなわち、送信権が確保されており、且つ通話がなされていない状態である。
【００５５】
第二の区分はＰｏＣ機能付携帯電話端末において、回線がサーバと接続されておらず、端末に対する操作が信号としてサーバに直ちに送信できず後にオンライン操作可能状態になってから送信可能となるオフライン操作可能状態であり、図７では極太線で表示される。送信権が確保されておらず、かつ他者が通話中であって、かつ何らかの操作結果をサーバに送るために一時的に操作の結果情報を蓄積してオンライン操作可能状態時にサーバへ送信する。
【００５６】
第三の区分は操作不可能状態である。操作不可能状態は、回線はサーバと接続されておらず、さらに、端末に対する操作結果も一切端末に蓄積されない常態であり、図７では、点線で示される。送信権もなく操作結果も蓄積できない状態である。以上は図８から１１についても同様である。
【００５７】
まず、教師用ＰｏＣ機能付携帯電話端末６は教師モードに設定される。
【００５８】
教師用ＰｏＣ機能付携帯電話端末６では、授業を設定するために発信権自動開放までの時間と最大参加可能人数を設定する（ＴＴ２）。追加機能制御部３３がＧＵＩ機能で教師用ＰｏＣ機能付携帯電話端末６の表示部に発信権自動開放までの時間と最大参加可能人数を尋ねる画面表示を表示させる。これらの画面表示に従って、これらのオプション数値が教師用ＰｏＣ機能付携帯電話端末６のキー６２で入力される。ここで、教師用ＰｏＣ機能付携帯電話端末６のみがオンライン操作が可能である。
【００５９】
入力された数値は、教師用ＰｏＣ機能付携帯電話端末６のオプション管理部３４がオプションデータをＰｏＣ通信回線を通じてサーバ２のオプション管理部１８に送信され、オプションデータ２０に格納される（Ｓ２）。
【００６０】
続いて、教師用ＰｏＣ機能付携帯電話端末６において、ＰｏＣ電話帳３２に格納されるグループリストから対象となる生徒用ＰｏＣ機能付携帯電話８，１０，１２が掲載されるグループが選択され、ＰｏＣキー５６が押下されることでＰｏＣ通信呼び掛けが実行される（ＴＴ４）（Ａｃｔｉｏｎ１）。この呼び掛けによりグループに登録された端末はいずれもオンライン操作が可能となる。
【００６１】
このＰｏＣ通信呼び掛け（ＴＴ４）を受けて、生徒側ＰｏＣ機能付携帯電話端末８，１０，１２それぞれにおいてＰｏＣキー５６が押下されると、各端末にとってのＰｏＣ参加表明となる（ＴＳ２，ＴＬ２）。このとき授業へ参加した時刻がサーバ２のユーザ管理部２２に通知される。ユーザ管理部２２は、参加時刻データをユーザ毎にユーザデータ２４に格納する。また、サーバ２側のオプション管理部１８が有するオプション設定データが、ＰｏＣ通信網４経由で各参加ＰｏＣ機能付携帯電話端末内のオプション管理部３４に送信される。
【００６２】
ここで、さらに、教師用ＰｏＣ機能付携帯電話端末６においてＰｏＣキー５６が押下されることでＰｏＣ通信が開始される（ＴＴ６）。そして、ＰｏＣキー５６が押下されたことが、ＳＩＰサーバ５とＰｏＣ機能ブロック１６に伝達されて、教師用ＰｏＣ機能付携帯電話端末６は、発言権を取得することになる。ここで、生徒側ＰｏＣ機能付携帯電話端末８，１０，１２は操作不可能状態となる。
【００６３】
さらに、このＰｏＣキー５６が押下されたことを示す信号は、ユーザ管理部２２にも伝達される。
【００６４】
ユーザ管理部２２は、ＰｏＣ機能ブロック１６に対して、教師用ＰｏＣ機能付携帯電話端末６の発言受付開始ボタン選択信号を受信するまでは、教師用ＰｏＣ機能付携帯電話端末６を除く生徒用ＰｏＣ機能付携帯電話端末８，１０，１２の発言権取得の操作が不可能となるように制御する。
【００６５】
教師用ＰｏＣ機能付携帯電話端末６は、続けて口頭で生徒達へ何らかの課題となりうる問題を出題する（ＴＴ８）。問題は質問形式で１問のみ出題される。
【００６６】
続いて、教師用ＰｏＣ機能付携帯電話端末６において、ファンクションボタン５８が押下されることすなわち、発言権取得開始信号で発言受付開始となる（ＴＴ１０）（Ａｃｔｉｏｎ２）。この発言受付開始信号をＳＩＰサーバ１４とＰｏＣ機能ブロック１６とを介してユーザ管理部２２が受信する。教師用ＰｏＣ機能付携帯電話端末６は、発言受付開始がなされると、操作不可能状態となる。一方、生徒側ＰｏＣ機能付携帯電話端末８，１０，１２はオンライン操作可能状態となる。
【００６７】
ユーザ管理部２２は、ＰｏＣ機能付携帯電話端末６，８，１０，１２に対して各表示部に「回答受付中」表示指令信号を送信する。
【００６８】
ＰｏＣ機能付携帯電話端末６，８，１０，１２は、「回答受付中」表示指令信号を受信するとオンライン操作可能状態となり発言権の取得が可能となるとともに、追加機能制御部３３が記憶部４４の表示用データを読み出して表示部に「回答受付中」の文字を表示させる（ＴＴ１２，ＴＳ４，ＴＬ４）。この際、生徒用ＰｏＣ機能付携帯電話端末８，１０，１２については、分かりやすいように画面のバックライトが点滅表示される。一方、教師用ＰｏＣ機能付携帯電話端末６の表示部には回答受付中が表示されるがバックライトの点滅はない。
【００６９】
生徒が発言権を取得しない限りは、教師用ＰｏＣ機能付携帯電話端末６はオンライン状態にあり、発言受付終了のキーで質問を取り下げることもできる。
【００７０】
続いて生徒用ＰｏＣ機能付携帯電話端末８，１０，１２について教師の質問に対して回答を希望し、教師より許諾された生徒が生徒用ＰｏＣ機能付携帯電話端末８でＰｏＣキー５６すなわち、発言開始キーを押下する（ＴＳ６）（Ａｃｔｉｏｎ３）。
【００７１】
ここで、発言開始キーを押下した生徒用ＰｏＣ機能付携帯電話端末８は、発言者モードに設定される。また、発言開始キーを押下しなかった生徒用ＰｏＣ機能付携帯電話端末８は、傍聴者モードに設定される。設定結果は、ユーザ管理部２２よってユーザデータ２４に格納される。
【００７２】
発言権を確保した生徒は、教師が口頭で発表した課題に対する回答となる発言を開始する。生徒用ＰｏＣ機能付携帯電話端末８で、ＰｏＣキー５６選択信号を、ＰｏＣ機能ブロック１６とユーザ管理部２２が受信する。
【００７３】
ＰｏＣ機能ブロック１６は、生徒用ＰｏＣ機能付携帯電話端末８にのみ発言権を付与し、他のＰｏＣ機能付携帯電話端末６，１０，１２の発言権を制限する。また、いずれのＰｏＣ機能付携帯電話端末６，８、１０，１２も操作不可能状態となる。
【００７４】
ユーザ管理部２２は、教師用モードの教師用ＰｏＣ機能付携帯電話端末６には表示部に「採点中」の文字を表示させるため「採点中」文字表示信号を送信する。また、教師用ＰｏＣ機能付携帯電話端末６の操作状態についてはオフライン操作可能状態に設定される。この信号を受けて教師用ＰｏＣ機能付携帯電話端末６の表示部に「採点中」の文字が表示される（ＴＴ１４）。
【００７５】
さらに、ユーザ管理部２２は、発言者モードの生徒用ＰｏＣ機能付携帯電話端末８には表示部に「発言中」の文字を表示させるため、「発言中」文字表示信号を送信する。また、生徒用ＰｏＣ機能付携帯電話端末８の操作状態についてはオンライン操作可能状態に設定する信号を送信する。この信号を受けて生徒用ＰｏＣ機能付携帯電話端末８の表示部に「発言中」の文字が表示される（ＴＳ８）。
【００７６】
加えて、ユーザ管理部２２は、傍聴者モードの生徒用ＰｏＣ機能付携帯電話端末１０，１２には表示部に「賛成ｏｒ反対」の文字を表示させるため「賛成ｏｒ反対」文字表示信号を送信する。生徒用ＰｏＣ機能付携帯電話端末１０，１２の操作状態についてはオフライン操作可能状態に設定する信号を送付する。この信号を受けて生徒用ＰｏＣ機能付携帯電話端末１０，１２の表示部に「賛成ｏｒ反対」の文字が表示される（ＴＬ６）。
【００７７】
発言者である生徒は、自らの生徒用ＰｏＣ機能付携帯電話端末８に対して、ＴＴ８における口頭での質問に対する回答を口頭で行う（ＴＳ１０）。
【００７８】
この回答（ＴＳ１０）に対して、教師は採点して点数を決定する。この点数は教師用ＰｏＣ機能付携帯電話端末６の操作部５４から入力される（ＴＴ１６）。この段階では、教師用ＰｏＣ機能付携帯電話端末６は、生徒用ＰｏＣ機能付携帯電話端末８の音声を受信中であるため、入力された点数情報をサーバ２に対して送信できない。そこで、点数情報は送信予約される。さらに、生徒の口頭での回答について保存するか否かについても操作部５４から入力されるが同様に送信予約される。
【００７９】
傍聴者である生徒は、発言者である生徒の回答に対する賛成か反対かを数字１キー６６または数字９キー６８のいずれかを選択して入力する（ＴＬ８）。入力された賛否結果は直ぐには送信されず送信予約される。
【００８０】
発言者である生徒の発言権は、オプションで決定された発言権自動開放までの時間の経過または、生徒用ＰｏＣ機能付携帯電話端末８のＰＯＣキー５６を押下することで発言権が開放される（ＴＳ１２）（Ａｃｔｉｏｎ４）。
【００８１】
ユーザ管理部２２は、生徒用ＰｏＣ機能付携帯電話端末８から送信される発言権開放の信号と発言権取得時からの経過時間が設定された開放時間を経過時のいずれか早い時点で発言権開放信号を各ＰｏＣ機能付携帯電話端末６，８，１０，１２に送信する。
【００８２】
教師用ＰｏＣ機能付携帯電話端末６が発言権開放信号を受信するとＴＴ１６で入力された採点結果が直ちにサーバ２へ送信される（ＴＴ１８）。教師用ＰｏＣ機能付携帯電話端末６は採点結果が送信されると、発言権取得不可状態となる。
【００８３】
生徒用ＰｏＣ機能付携帯電話端末８は、生徒用ＰｏＣ機能付携帯電話端末８のＰｏＣキー５６を押下すると発言権取得不可状態となる。
【００８４】
傍聴者モードの生徒用ＰｏＣ機能付携帯電話端末１０，１２は、発言権開放信号を受信するとＴＬ８で入力された選択結果を直ちにサーバ２へ送信する（ＴＬ１０）。生徒用ＰｏＣ機能付携帯電話端末１０，１２は選択結果が送信されると、発言権取得不可状態となる。
【００８５】
ユーザ管理部２２は、採点結果と賛否結果を受信するとＰｏＣ機能付携帯電話端末６，８，１０，１２に対して各表示部に「回答受付中」表示指令信号を送信する。
【００８６】
ＰｏＣ機能付携帯電話端末６，８，１０，１２は「回答受付中」表示指令信号を受信するとオンライン操作可能状態となり発言権の取得が可能となるとともに、追加機能制御部３３が記憶部４４の表示用データを読み出して表示部に「回答受付中」の文字を表示させる（ＴＴ２０，ＴＳ１４，ＴＬ１２）。この際、生徒用ＰｏＣ機能付携帯電話端末８，１０，１２については、分かりやすいように画面のバックライトが点滅表示される。一方、教師用ＰｏＣ機能付携帯電話端末６の表示部には回答受付中が表示されるがバックライトの点滅はない。ここで、ＰｏＣ機能付携帯電話端末６は、オンライン操作可能状態となり、ＰｏＣ機能付携帯電話端末８，１０，１２は、オフライン操作可能状態となる。
【００８７】
ここで、サーバ２におけるユーザ管理部２２が採点結果と賛否結果を集計してユーザデータ２４に格納する（Ｓ４）。
【００８８】
教師が質問の受付を終了する場合には、教師用ＰｏＣ機能付携帯電話端末６の発言受付終了キー５８が選択される（ＴＴ２２）（Ａｃｔｉｏｎ５）。すなわち、発言権取得禁止信号の生成である。
【００８９】
ユーザ管理部２２は、発言受付終了キー５８を受信してユーザデータ２４に格納するとともに生徒用ＰｏＣ機能付携帯電話端末８，１０，１２に対して「回答受付終了表示」を指示する信号を送信する。
【００９０】
生徒用ＰｏＣ機能付携帯電話端末８，１０，１２は、「回答受付終了表示」を指示する信号を受信すると、その表示部に「回答受付終了」を表示する（ＴＳ１６，ＴＬ１４）。
【００９１】
以上のフローチャートに従うことで教育現場での使用においては、生徒側のＰｏＣ機能端末は、教師側のＰｏＣ機能で許諾した際にのみ発言権の取得をできるようなる。
【００９２】
また、教育現場でＰｏＣ通信を行い生徒にＰｏＣ機能端末で発言させた場合に、その評価の点数を教師のＰｏＣ機能端末からサーバ側へ送信できる。
【実施例２】
【００９３】
続いて本発明の第２の実施例について図８を用いて説明する。実施例２では、教師による質問が口頭ではなく、画面表示となるものである。主にフローチャートが異なるため、フローチャートに沿って以下に詳細に説明する。
【００９４】
図８は、左からサーバ２のフロー、教師用ＰｏＣ機能付携帯電話端末６のフロー、発言者用ＰｏＣ機能付携帯電話端末８のフロー、傍聴者ＰｏＣ機能付携帯電話端末１０，１２の各フローについて示す。
【００９５】
まず、教師用ＰｏＣ機能付携帯電話端末６は教師モードに設定される。
【００９６】
教師用ＰｏＣ機能付携帯電話端末６では、授業を設定するために発信権自動開放までの時間と最大参加可能人数を設定する（ＴＴ２）。
【００９７】
加えて実施例２では教師による質問が口頭ではなく画面表示される。このため、予め質問内容がサーバ２へ登録されている必要がある。追加機能制御部３３がＧＵＩ機能で教師用ＰｏＣ機能付携帯電話端末６の表示部に発信権自動開放までの時間と最大参加可能人数を尋ねる画面表示を表示させる。これらの画面表示に従って、これらのオプション数値が教師用ＰｏＣ機能付携帯電話端末６のキー６２で入力される。ここで、教師用ＰｏＣ機能付携帯電話端末６のみがオンライン操作が可能である。
【００９８】
入力された数値は、教師用ＰｏＣ機能付携帯電話端末６のオプション管理部３４がオプションデータとしてＰｏＣ通信回線を通じてサーバ２のオプション管理部１８に送信され、オプションデータ２０に格納される（Ｓ２）。同時に質問内容も教師用ＰｏＣ機能付携帯電話端末６から質問内容データを入力して、オプションデータ２０として格納する。質問内容データは、教師用ＰｏＣ機能付携帯電話端末６で直接入力して生成してもよい。また、外部のパーソナルコンピュータ上のアプリケーションでテキストデータ等のデータ形式で作成保存し、そのデータをネットワーク経由やメモリカードなどの記憶装置媒体経由でサーバ２のオプションデータ２０又は教師用ＰｏＣ機能付携帯電話端末６のオプション管理部３４に登録しても機能性が向上でき、問題作成の自由度が向上する。さらに、ＰｏＣ機能付携帯電話端末の表示が可能であれば、データ形式としてテキストの他に、画像、動画、音声情報を含めることは設計変更の範囲内である。
【００９９】
続いて、教師用ＰｏＣ機能付携帯電話端末６において、ＰｏＣ電話帳３２に格納されるグループリストから対象となる生徒用ＰｏＣ機能付携帯電話８，１０，１２が掲載されるグループが選択され、ＰｏＣキー５６が押下されることでＰｏＣ通信呼び掛けが実行される（ＴＴ４）（Ａｃｔｉｏｎ１）。この呼び掛けによりグループに登録された端末はいずれもオンライン操作が可能となる。
【０１００】
このＰｏＣ通信呼び掛け（ＴＴ４）を受けて、生徒側ＰｏＣ機能付携帯電話端末８，１０，１２それぞれにおいてＰｏＣキー５６が押下されると、各端末にとってのＰｏＣ参加表明となる（ＴＳ２，ＴＬ２）。このとき授業へ参加した時刻がサーバ２のユーザ管理部２２に通知される。ユーザ管理部２２は、参加時刻データをユーザ毎にユーザデータ２４に格納する。また、サーバ２側のオプション管理部１８が有するオプション設定データが、ＰｏＣ通信網４経由で各参加ＰｏＣ機能付携帯電話端末内のオプション管理部３４に送信される。
【０１０１】
ここで、さらに、教師用ＰｏＣ機能付携帯電話端末６においてＰｏＣキー５６が押下されることでＰｏＣ通信が開始される（ＴＴ６）。そして、ＰｏＣキー５６が押下されたことがＳＩＰサーバ５とＰｏＣ機能ブロック１６に伝達されて、教師用ＰｏＣ機能付携帯電話端末６は、発言権を取得することになる。ここで、生徒側ＰｏＣ機能付携帯電話端末８，１０，１２は操作不可能状態となる。
【０１０２】
さらに、このＰｏＣキー５６が押下されたことを示す信号は、ユーザ管理部２２にも伝達される。
【０１０３】
ユーザ管理部２２は、ＰｏＣ機能ブロック１６に対して、教師用ＰｏＣ機能付携帯電話端末６の発言受付開始ボタン選択信号を受信するまでは、教師用ＰｏＣ機能付携帯電話端末６を除く生徒用ＰｏＣ機能付携帯電話端末８，１０，１２の発言権取得の操作が不可能となるように制御する。
【０１０４】
教師用ＰｏＣ機能付携帯電話端末６は、ＧＵＩ表示で質問内容データを生徒用ＰｏＣ機能付携帯電話端末８，１０，１２に配信するように指示信号を送信する。指示信号を受信したユーザ管理部２２は、質問内容データをＰｏＣ機能付携帯電話端末８，１０，１２に配信する（ＴＴ２６）。問題は質問形式で１問のみ出題される。
【０１０５】
続いて、教師用ＰｏＣ機能付携帯電話端末６において、ファンクションボタン５８が押下されることで発言受付開始となる（ＴＴ１０）（Ａｃｔｉｏｎ２）。この発言受付開始信号をＳＩＰサーバ１４とＰｏＣ機能ブロック１６とを介してユーザ管理部２２が受信する。教師用ＰｏＣ機能付携帯電話端末６は、発言受付開始がなされると、操作不可能状態となる。一方、生徒側ＰｏＣ機能付携帯電話端末８，１０，１２はオンライン操作可能状態となる。
【０１０６】
ユーザ管理部２２は、ＰｏＣ機能付携帯電話端末６，８，１０，１２に対して各表示部に「回答受付中」表示並びに「質問内容」指令信号を送信する。
【０１０７】
ＰｏＣ機能付携帯電話端末６，８，１０，１２は「回答受付中」表示並びに「質問内容」指令信号を受信するとオンライン操作可能状態となり発言権の取得が可能となるとともに、追加機能制御部３３が記憶部４４の表示用データを読み出して表示部に「回答受付中」の文字と「質問内容」を表示させる（ＴＴ２８，ＴＳ１８，ＴＬ１６）。この際、生徒用ＰｏＣ機能付携帯電話端末８，１０，１２については、分かりやすいように画面のバックライトが点滅表示される。一方、教師用ＰｏＣ機能付携帯電話端末６の表示部には「回答受付中」と「質問内容」が表示されるがバックライトの点滅はない。
【０１０８】
生徒が発言権を取得しない限りは、教師用ＰｏＣ機能付携帯電話端末６はオンライン状態にあり、発言受付終了のキーを押下することにより質問を取り下げることもできる。
【０１０９】
続いて生徒用ＰｏＣ機能付携帯電話端末８，１０，１２が、教師の質問に対して回答を希望し、教師より許諾された生徒が、生徒用ＰｏＣ機能付携帯電話端末８のＰｏＣキー５６すなわち、発言開始キーを押下する（ＴＳ６）（Ａｃｔｉｏｎ３）。
【０１１０】
ここで、発言開始キーを押下した生徒用ＰｏＣ機能付携帯電話端末８は発言者モードに設定される。また、発言開始キーを押下しなかった生徒用ＰｏＣ機能付携帯電話端末８は傍聴者モードに設定される。設定結果は、ユーザ管理部２２よってユーザデータ２４に格納される。
【０１１１】
発言権を確保した生徒は、教師が端末上に表示させた課題に対する回答となる発言を開始する。生徒用ＰｏＣ機能付携帯電話端末８でＰｏＣキー５６選択信号は、ＰｏＣ機能ブロック１６とユーザ管理部２２が受信する。
【０１１２】
ＰｏＣ機能ブロック１６は、生徒用ＰｏＣ機能付携帯電話端末８にのみ発言権を付与し、他のＰｏＣ機能付携帯電話端末６，１０，１２の発言権を制限する。また、いずれのＰｏＣ機能付携帯電話端末６，８，１０，１２も操作不可能状態となる。
【０１１３】
ユーザ管理部２２は、教師用モードの教師用ＰｏＣ機能付携帯電話端末６には表示部に「採点中」の文字を表示させるため「採点中」文字表示信号を送信する。また、教師用ＰｏＣ機能付携帯電話端末６の操作状態についてはオフライン操作可能状態に設定される。この信号を受けて教師用ＰｏＣ機能付携帯電話端末６の表示部に「採点中」の文字が表示される（ＴＴ１４）。
【０１１４】
さらに、ユーザ管理部２２は、発言者モードの生徒用ＰｏＣ機能付携帯電話端末８には表示部に「発言中」の文字を表示させるため「発言中」文字表示信号を送信する。また、生徒用ＰｏＣ機能付携帯電話端末８の操作状態についてはオンライン操作可能状態に設定する信号を送信する。この信号を受けて生徒用ＰｏＣ機能付携帯電話端末８の表示部に「発言中」の文字が表示される（ＴＳ８）。
【０１１５】
加えて、ユーザ管理部２２は、傍聴者モードの生徒用ＰｏＣ機能付携帯電話端末１０，１２には表示部に「賛成ｏｒ反対」の文字を表示させるため「賛成ｏｒ反対」文字表示信号を送信する。生徒用ＰｏＣ機能付携帯電話端末１０，１２の操作状態についてはオフライン操作可能状態に設定する信号を送付する。この信号を受けて生徒用ＰｏＣ機能付携帯電話端末１０，１２の表示部に「賛成ｏｒ反対」の文字が表示される（ＴＬ６）。
【０１１６】
発言者である生徒は自らの生徒用ＰｏＣ機能付携帯電話端末８に対して、ＴＴ８における口頭での質問に対する回答を口頭で行う（ＴＳ１０）。
【０１１７】
この回答（ＴＳ１０）に対して、教師は採点して点数を決定する。この点数は、教師用ＰｏＣ機能付携帯電話端末６の操作部５４から入力される（ＴＴ１６）。この段階では、教師用ＰｏＣ機能付携帯電話端末６は、生徒用ＰｏＣ機能付携帯電話端末８の音声を受信中であるため、入力された点数情報はサーバ２に対して送信できない。そこで、点数情報は送信予約される。さらに、生徒の口頭での回答について保存するか否かについても操作部５４から入力されるが同様に送信予約される。
【０１１８】
傍聴者である生徒は、発言者である生徒の回答に対する賛成か反対かを数字１キー６６または数字９キー６８のいずれかを選択して入力する（ＴＬ８）。入力された賛否結果は直ぐには送信されず送信予約される。
【０１１９】
発言者である生徒の発言権はオプションで決定された発言権自動開放までの時間の経過または、生徒用ＰｏＣ機能付携帯電話端末８のＰｏＣキー５６を押下することで発言権が開放される（ＴＳ１２）（Ａｃｔｉｏｎ４）。
【０１２０】
ユーザ管理部２２は、生徒用ＰｏＣ機能付携帯電話端末８から送信される発言権開放の信号と発言権取得時からの経過時間が設定された開放時間を経過時のいずれか早い時点で発言権開放信号を各ＰｏＣ機能付携帯電話端末６，８，１０，１２に送信する。
【０１２１】
教師用ＰｏＣ機能付携帯電話端末６が発言権開放信号を受信するとＴＴ１６で入力された採点結果が直ちにサーバ２へ送信される（ＴＴ１８）。教師用ＰｏＣ機能付携帯電話端末６は採点結果が送信されると、発言権取得不可状態となる。
【０１２２】
生徒用ＰｏＣ機能付携帯電話端末８は、生徒用ＰｏＣ機能付携帯電話端末８のＰｏＣキー５６が押下されると発言権取得不可状態となる。
【０１２３】
傍聴者モードの生徒用ＰｏＣ機能付携帯電話端末１０，１２が発言権開放信号を受信するとＴＬ８で入力された選択結果が直ちにサーバ２へ送信される（ＴＬ１０）。生徒用ＰｏＣ機能付携帯電話端末１０，１２は選択結果が送信されると、発言権取得不可状態となる。
【０１２４】
ユーザ管理部２２は、採点結果と賛否結果を受信するとＰｏＣ機能付携帯電話端末６，８，１０，１２に対して各表示部に「回答受付中」表示並びに「質問内容」指令信号を送信する。
【０１２５】
ＰｏＣ機能付携帯電話端末６，８，１０，１２は「回答受付中」表示並びに「質問内容」指令信号を受信するとオンライン操作可能状態となり発言権の取得が可能となるとともに、追加機能制御部３３が記憶部４４の表示用データを読み出して表示部に「回答受付中」の文字と「質問内容」を表示させる（ＴＴ２０，ＴＳ１４，ＴＬ１２）。この際、生徒用ＰｏＣ機能付携帯電話端末８，１０，１２については、分かりやすいように画面のバックライトが点滅表示される。一方、教師用ＰｏＣ機能付携帯電話端末６の表示部には「回答受付中」と「質問内容」が表示されるがバックライトの点滅はない。ここで、ＰｏＣ機能付携帯電話端末６は、オンライン操作可能状態となり、ＰｏＣ機能付携帯電話端末８，１０，１２は、オフライン操作可能状態となる。
【０１２６】
ここで、サーバ２におけるユーザ管理部２２が採点結果と賛否結果を集計してユーザデータ２４に格納する（Ｓ４）。
【０１２７】
教師が質問の受付を終了する場合には、教師用ＰｏＣ機能付携帯電話端末６の発言受付終了キー５８が押下される（ＴＴ２２）（Ａｃｔｉｏｎ５）。
【０１２８】
ユーザ管理部２２は、発言受付終了キー５８を受信してユーザデータ２４に格納するとともに生徒用ＰｏＣ機能付携帯電話端末８，１０，１２に対して「回答受付終了表示」を指示する信号を送信する。
【０１２９】
生徒用ＰｏＣ機能付携帯電話端末８，１０，１２は、「回答受付終了表示」を指示する信号を受信すると、その表示部に「回答受付終了」を表示する（ＴＳ１６，ＴＬ１４）。
【０１３０】
以上のフローチャートに従うことで教育現場での使用においては、生徒側のＰｏＣ機能端末は、教師側のＰｏＣ機能で許諾した際にのみ発言権の取得をできるようなる。
【０１３１】
また、教育現場でＰｏＣ通信を行い生徒にＰｏＣ機能端末で発言させた場合に、教師のＰｏＣ機能端末は、その評価の点数をサーバ側へ送信できる。
【０１３２】
さらに、質問内容が文面として表示され、質問内容の確認が容易となるため、聞き取り間違い等が生じないという効果がある。
【実施例３】
【０１３３】
続いて本発明の第３の実施例について図９を用いて説明する。実施例３では、教師による質問が口頭ではなく、録音された音声となるものである。主にフローチャートが異なるため、フローチャートに沿って以下に詳細に説明する。
【０１３４】
図９は、左からサーバ２のフロー、教師用ＰｏＣ機能付携帯電話端末の６フロー、発言者用ＰｏＣ機能付携帯電話端末の８フロー、傍聴者ＰｏＣ機能付携帯電話端末１０，１２の各フローについて示す。
【０１３５】
まず、教師用ＰｏＣ機能付携帯電話端末６は教師モードに設定される。
【０１３６】
教師用ＰｏＣ機能付携帯電話端末６では、授業を設定するために発信権自動開放までの時間と最大参加可能人数を設定する（ＴＴ２）。
【０１３７】
加えて実施例３では質問を口頭ではなく録音された音声で行われる。このため、予め録音された音声データはサーバ２へ登録されておく必要がある。追加機能制御部３３がＧＵＩ機能で教師用ＰｏＣ機能付携帯電話端末６の表示部に発信権自動開放までの時間と最大参加可能人数を尋ねる画面表示を表示させる。これらの画面表示に従って、これらのオプション数値が教師用ＰｏＣ機能付携帯電話端末６のキー６２で入力される。ここで、教師用ＰｏＣ機能付携帯電話端末６のみがオンライン操作が可能である。
【０１３８】
入力された数値は、教師用ＰｏＣ機能付携帯電話端末６のオプション管理部３４がオプションデータをＰｏＣ通信回線を通じてサーバ２のオプション管理部１８に送信され、オプションデータ２０に格納される（Ｓ２）。同時に質問内容も教師用ＰｏＣ機能付携帯電話端末６から質問内容をマイクから入力して、録音音声データとしてオプションデータ２０に格納する。
【０１３９】
続いて、教師用ＰｏＣ機能付携帯電話端末６において、ＰｏＣ電話帳３２に格納されるグループリストから対象となる生徒用ＰｏＣ機能付携帯電話８，１０，１２が掲載されるグループが選択され、ＰＯＣキー５６が押下されることでＰｏＣ通信呼び掛けが実行される（ＴＴ４）（Ａｃｔｉｏｎ１）。この呼び掛けによりグループに登録された端末はいずれもオンライン操作が可能となる。
【０１４０】
このＰｏＣ通信呼び掛け（ＴＴ４）を受けて、生徒側ＰｏＣ機能付携帯電話端末８，１０，１２それぞれにおいてＰｏＣキー５６が押下されると、各端末にとってのＰｏＣ参加表明となる（ＴＳ２，ＴＬ２）。このとき授業へ参加した時刻がサーバ２のユーザ管理部２２に通知される。ユーザ管理部２２は、参加時刻データをユーザ毎にユーザデータ２４に格納する。また、サーバ２側のオプション管理部１８が有するオプション設定データが、ＰｏＣ通信網４経由で各参加ＰｏＣ機能付携帯電話端末内のオプション管理部３４に送信される。
【０１４１】
ここで、さらに、教師用ＰｏＣ機能付携帯電話端末６においてＰｏＣキー５６が押下されることでＰｏＣ通信が開始される（ＴＴ６）。そして、ＰｏＣキー５６が押下されたことが、ＳＩＰサーバ５とＰｏＣ機能ブロック１６に伝達されて教師用ＰｏＣ機能付携帯電話端末６は、発言権を取得することになる。ここで、生徒側ＰｏＣ機能付携帯電話端末８，１０，１２は操作不可能状態となる。
【０１４２】
さらに、このＰｏＣキー５６が押下されたことを示す信号は、ユーザ管理部２２にも伝達される。
【０１４３】
ユーザ管理部２２は、ＰｏＣ機能ブロック１６に対して、教師用ＰｏＣ機能付携帯電話端末６の発言受付開始ボタン選択信号を受信するまでは、教師用ＰｏＣ機能付携帯電話端末６を除く生徒用ＰｏＣ機能付携帯電話端末８，１０，１２の発言権取得の操作が不可能となるように制御する。
【０１４４】
教師用ＰｏＣ機能付携帯電話端末６は、ＧＵＩ表示で録音音声データを生徒用ＰｏＣ機能付携帯電話端末８，１０，１２に配信するように指示信号を送信する。指示信号を受信したユーザ管理部２２は、質問内容データをＰｏＣ機能付携帯電話端末８，１０，１２に配信する（ＴＴ３０）。問題は質問形式で１問のみ出題される。すべてのＰｏＣ機能付携帯電話端末６，８，１０，１２に録音された音声データが配信されてそのスピーカから再生される。必要に応じて何度も再生できるようにすることが望ましい。
【０１４５】
続いて、教師用ＰｏＣ機能付携帯電話端末６において、ファンクションボタン５８が押下されることで発言受付開始となる（ＴＴ１０）（Ａｃｔｉｏｎ２）。この発言受付開始信号をＳＩＰサーバ１４とＰｏＣ機能ブロック１６とを介してユーザ管理部２２が受信する。教師用ＰｏＣ機能付携帯電話端末６は、発言受付開始がなされると、操作不可能状態となる。一方、生徒側ＰｏＣ機能付携帯電話端末８，１０，１２はオンライン操作可能状態となる。
【０１４６】
ユーザ管理部２２は、ＰｏＣ機能付携帯電話端末６，８，１０，１２に対して各表示部に「回答受付中」表示指令信号を送信する。
【０１４７】
ＰｏＣ機能付携帯電話端末６，８，１０，１２は、「回答受付中」表示指令信号を受信するとオンライン操作可能状態となり発言権の取得が可能となるとともに、追加機能制御部３３が記憶部４４の表示用データを読み出して表示部に「回答受付中」の文字を表示させる（ＴＴ１２，ＴＳ４，ＴＬ４）。この際、生徒用ＰｏＣ機能付携帯電話端末８，１０，１２については、分かりやすいように画面のバックライトが点滅表示される。一方、教師用ＰｏＣ機能付携帯電話端末６の表示部には回答受付中が表示されるがバックライトの点滅はない。
【０１４８】
生徒が発言権を取得しない限りは、教師用ＰｏＣ機能付携帯電話端末６はオンライン状態にあり、発言受付終了のキーを押下することにより質問を取り下げることもできる。
【０１４９】
続いて生徒用ＰｏＣ機能付携帯電話端末８，１０，１２が、教師の質問に対して回答を希望し、教師より許諾された生徒が、生徒用ＰｏＣ機能付携帯電話端末８のＰＯＣキー５６すなわち、発言開始キーを押下する（ＴＳ６）（Ａｃｔｉｏｎ３）。
【０１５０】
ここで、発言開始キーを押下した生徒用ＰｏＣ機能付携帯電話端末８は発言者モードに設定される。また、発言開始キーを押下しなかった生徒用ＰｏＣ機能付携帯電話端末８は傍聴者モードに設定される。設定結果は、ユーザ管理部２２よってユーザデータ２４に格納される。
【０１５１】
発言権を確保した生徒は、教師が端末上に再生された課題に対する回答となる発言を開始する。生徒用ＰｏＣ機能付携帯電話端末８でＰｏＣキー５６選択信号は、ＰｏＣ機能ブロック１６とユーザ管理部２２が受信する。
【０１５２】
ＰｏＣ機能ブロック１６は、生徒用ＰｏＣ機能付携帯電話端末８にのみ発言権を付与し、他のＰｏＣ機能付携帯電話端末６，１０，１２の発言権を制限する。また、いずれのＰｏＣ機能付携帯電話端末６，８，１０，１２も操作不可能状態となる。
【０１５３】
ユーザ管理部２２は、教師用モードの教師用ＰｏＣ機能付携帯電話端末６には表示部に「採点中」の文字を表示させるため「採点中」文字表示信号を送信する。また、教師用ＰｏＣ機能付携帯電話端末６の操作状態についてはオフライン操作可能状態に設定される。この信号を受けて教師用ＰｏＣ機能付携帯電話端末６の表示部に「採点中」の文字が表示される（ＴＴ１４）。
【０１５４】
さらに、ユーザ管理部２２は、発言者モードの生徒用ＰｏＣ機能付携帯電話端末８には表示部に「発言中」の文字を表示させるため「発言中」文字表示信号を送信する。また、生徒用ＰｏＣ機能付携帯電話端末８の操作状態についてはオンライン操作可能状態に設定する信号を送信する。この信号を受けて生徒用ＰｏＣ機能付携帯電話端末８の表示部に「発言中」の文字が表示される（ＴＳ８）。
【０１５５】
加えて、ユーザ管理部２２は、傍聴者モードの生徒用ＰｏＣ機能付携帯電話端末１０，１２には表示部に「賛成ｏｒ反対」の文字を表示させるため「賛成ｏｒ反対」文字表示信号を送信する。生徒用ＰｏＣ機能付携帯電話端末１０，１２の操作状態についてはオフライン操作可能状態に設定する信号を送付する。この信号を受けて生徒用ＰｏＣ機能付携帯電話端末１０，１２の表示部に「賛成ｏｒ反対」の文字が表示される（ＴＬ６）。
【０１５６】
発言者である生徒は自らの生徒用ＰｏＣ機能付携帯電話端末８に対して、ＴＴ８における録音された音声データによる質問に対する回答を口頭で行う（ＴＳ１０）。
【０１５７】
この回答（ＴＳ１０）に対して、教師は採点して点数を決定する。この点数は、教師用ＰｏＣ機能付携帯電話端末６の操作部５４から入力される（ＴＴ１６）。この段階では、教師用ＰｏＣ機能付携帯電話端末６は、生徒用ＰｏＣ機能付携帯電話端末８の音声を受信中であるため、入力された点数情報はサーバ２に対して送信できない。そこで、点数情報は送信予約される。さらに、生徒の口頭での回答について保存するか否かについても操作部５４から入力されるが同様に送信予約される。
【０１５８】
傍聴者である生徒は、発言者である生徒の回答に対する賛成か反対かを数字１キー６６または数字９キー６８のいずれかを選択して入力する（ＴＬ８）。入力された賛否結果は直ぐには送信されず送信予約される。
【０１５９】
発言者である生徒の発言権はオプションで決定された発言権自動開放までの時間の経過または、生徒用ＰｏＣ機能付携帯電話端末８のＰｏＣキー５６を押下することで発言権が開放される（ＴＳ１２）（Ａｃｔｉｏｎ４）。
【０１６０】
ユーザ管理部２２は、生徒用ＰｏＣ機能付携帯電話端末８から送信される発言権開放の信号と発言権取得時からの経過時間が設定された開放時間を経過時のいずれか早い時点で発言権開放信号を各ＰｏＣ機能付携帯電話端末６，８，１０，１２に送信する。
【０１６１】
教師用ＰｏＣ機能付携帯電話端末６が発言権開放信号を受信するとＴＴ１６で入力された採点結果が直ちにサーバ２へ送信される（ＴＴ１８）。教師用ＰｏＣ機能付携帯電話端末６は採点結果が送信されると、発言権取得不可状態となる。
【０１６２】
生徒用ＰｏＣ機能付携帯電話端末８は、生徒用ＰｏＣ機能付携帯電話端末８のＰＯＣキー５６が押下されると発言権取得不可状態となる。
【０１６３】
傍聴者モードの生徒用ＰｏＣ機能付携帯電話端末１０，１２が発言権開放信号を受信するとＴＬ８で入力された選択結果が直ちにサーバ２へ送信される（ＴＬ１０）。生徒用ＰｏＣ機能付携帯電話端末１０，１２は選択結果が送信されると、発言権取得不可状態となる。
【０１６４】
ユーザ管理部２２は、採点結果と賛否結果を受信するとＰｏＣ機能付携帯電話端末６，８，１０，１２に対して各表示部に「回答受付中」表示指令信号を送信する。
【０１６５】
ＰｏＣ機能付携帯電話端末６，８，１０，１２は「回答受付中」表示指令信号を受信するとオンライン操作可能状態となり発言権の取得が可能となるとともに、追加機能制御部３３が記憶部４４の表示用データを読み出して表示部に「回答受付中」の文字を表示させる（ＴＴ２０，ＴＳ１４，ＴＬ１２）。この際、生徒用ＰｏＣ機能付携帯電話端末８，１０，１２については、分かりやすいように画面のバックライトが点滅表示される。一方、教師用ＰｏＣ機能付携帯電話端末６の表示部には回答受付中が表示されるがバックライトの点滅はない。ここで、ＰｏＣ機能付携帯電話端末６は、オンライン操作可能状態となり、ＰｏＣ機能付携帯電話端末８，１０，１２は、オフライン操作可能状態となる。
【０１６６】
ここで、サーバ２におけるユーザ管理部２２が採点結果と賛否結果を集計してユーザデータ２４に格納する（Ｓ４）。
【０１６７】
教師が質問の受付を終了する場合には、教師用ＰｏＣ機能付携帯電話端末６の発言受付終了キー５８が押下される（ＴＴ２２）（Ａｃｔｉｏｎ５）。
【０１６８】
ユーザ管理部２２は、発言受付終了キー５８を受信してユーザデータ２４に格納するとともに生徒用ＰｏＣ機能付携帯電話端末８，１０，１２に対して「回答受付終了表示」を指示する信号を送信する。
【０１６９】
生徒用ＰｏＣ機能付携帯電話端末８，１０，１２は、「回答受付終了表示」を指示する信号を受信すると、その表示部に「回答受付終了」を表示する（ＴＳ１６，ＴＬ１４）。
【０１７０】
以上のフローチャートに従うことで教育現場での使用においては、生徒側のＰｏＣ機能端末は、教師側のＰｏＣ機能で許諾した際にのみ発言権の取得をできるようになる。
【０１７１】
また、教育現場でＰｏＣ通信を行い生徒にＰｏＣ機能端末で発言させた場合に、教師のＰｏＣ機能端末は、その評価の点数をサーバ側へ送信できる。
【０１７２】
さらに、質問内容が録音された音声データであるため何度も聞き返すことができあらかじめ問題を準備できるという効果がある。
【実施例４】
【０１７３】
続いて本発明の第４の実施例について図１０を用いて説明する。実施例４では、傍聴者による評価が賛成と否定ではなく教師と同様に点数にいる評価を行うものである。主にフローチャートが異なるため、フローチャートに沿って以下に詳細に説明する。図１０は、左からサーバ２のフロー、教師用ＰｏＣ機能付携帯電話端末６のフロー、発言者用ＰｏＣ機能付携帯電話端末８のフロー、傍聴者ＰｏＣ機能付携帯電話端末１０，１２の各フローについて示す。
【０１７４】
まず、教師用ＰｏＣ機能付携帯電話端末６は教師モードに設定される。
【０１７５】
教師用ＰｏＣ機能付携帯電話端末６では、授業を設定するために発信権自動開放までの時間と最大参加可能人数を設定する（ＴＴ２）。追加機能制御部３３がＧＵＩ機能で教師用ＰｏＣ機能付携帯電話端末６の表示部に発信権自動開放までの時間と最大参加可能人数を尋ねる画面表示を表示させる。これらの画面表示に従って、これらのオプション数値が教師用ＰｏＣ機能付携帯電話端末６のキー６２で入力される。ここで、教師用ＰｏＣ機能付携帯電話端末６のみがオンライン操作が可能である。
【０１７６】
入力された数値は、教師用ＰｏＣ機能付携帯電話端末６のオプション管理部３４がオプションデータをＰｏＣ通信回線を通じてサーバ２のオプション管理部１８に送信され、オプションデータ２０に格納される（Ｓ２）。
【０１７７】
続いて、教師用ＰｏＣ機能付携帯電話端末６において、ＰｏＣ電話帳３２に格納されるグループリストから対象となる生徒用ＰｏＣ機能付携帯電話８，１０，１２が掲載されるグループが選択され、ＰｏＣキー５６が押下されることでＰｏＣ通信呼び掛けが実行される（ＴＴ４）（Ａｃｔｉｏｎ１）。この呼び掛けによりグループに登録された端末はいずれもオンライン操作が可能となる。
【０１７８】
このＰｏＣ通信呼び掛け（ＴＴ４）を受けて、生徒側ＰｏＣ機能付携帯電話端末８，１０，１２それぞれにおいてＰｏＣキー５６が押下されると、各端末にとってのＰｏＣ参加表明となる（ＴＳ２，ＴＬ２）。このとき授業へ参加した時刻がサーバ２のユーザ管理部２２に通知される。ユーザ管理部２２は、参加時刻データをユーザ毎にユーザデータ２４に格納する。また、サーバ２側のオプション管理部１８が有するオプション設定データが、ＰｏＣ通信網４経由で各参加ＰｏＣ機能付携帯電話端末内のオプション管理部３４に送信される。
【０１７９】
ここで、さらに、教師用ＰｏＣ機能付携帯電話端末６においてＰｏＣキー５６が押下されることでＰｏＣ通信が開始される（ＴＴ６）。そして、ＰｏＣキー５６が押下されたことがＳＩＰサーバ５とＰｏＣ機能ブロック１６に伝達されて、教師用ＰｏＣ機能付携帯電話端末６は、の発言権を取得することになる。ここで、生徒側ＰｏＣ機能付携帯電話端末８，１０，１２は操作不可能状態となる。
【０１８０】
さらに、このＰＯＣキー５６が押下されたことを示す信号は、ユーザ管理部２２にも伝達される。
【０１８１】
ユーザ管理部２２は、ＰｏＣ機能ブロック１６に対して、教師用ＰｏＣ機能付携帯電話端末６の発言受付開始ボタン選択信号を受信するまでは、教師用ＰｏＣ機能付携帯電話端末６を除く生徒用ＰｏＣ機能付携帯電話端末８，１０，１２の発言権取得の操作が不可能となるよう制御する。
【０１８２】
教師用ＰｏＣ機能付携帯電話端末６は、続けて口頭で生徒達へ何らかの課題となりうる問題を出題する（ＴＴ８）。問題は質問形式で１問のみ出題される。
【０１８３】
続いて、教師用ＰｏＣ機能付携帯電話端末６において、ファンクションボタン５８が押下されることで発言受付開始となる（ＴＴ１０）（Ａｃｔｉｏｎ２）。この発言受付開始信号をＳＩＰサーバ１４とＰｏＣ機能ブロック１６とを介してユーザ管理部２２が受信する。教師用ＰｏＣ機能付携帯電話端末６は、発言受付開始がなされると、操作不可能状態となる。一方、生徒側ＰｏＣ機能付携帯電話端末８，１０，１２はオンライン操作可能状態となる。
【０１８４】
ユーザ管理部２２は、ＰｏＣ機能付携帯電話端末６，８，１０，１２に対して各表示部に「回答受付中」表示指令信号を送信する。
【０１８５】
ＰｏＣ機能付携帯電話端末６，８，１０，１２は、「回答受付中」表示指令信号を受信するとオンライン操作可能状態となり発言権の取得が可能となるとともに、追加機能制御部３３が記憶部４４の表示用データを読み出して表示部に「回答受付中」の文字を表示させる（ＴＴ１２，ＴＳ４，ＴＬ４）。この際、生徒用ＰｏＣ機能付携帯電話端末８，１０，１２については、分かりやすいように画面のバックライトが点滅表示される。一方、教師用ＰｏＣ機能付携帯電話端末６の表示部には回答受付中が表示されるがバックライトの点滅はない。
【０１８６】
生徒が発言権を取得しない限りは、教師用ＰｏＣ機能付携帯電話端末６はオンライン状態にあり、発言受付終了のキーで質問を取り下げることもできる。
【０１８７】
続いて生徒用ＰｏＣ機能付携帯電話端末８，１０，１２について教師の質問に対して回答を希望し、教師より許諾された生徒が生徒用ＰｏＣ機能付携帯電話端末８でＰｏＣキー５６すなわち、発言開始キーを押下する（ＴＳ６）（Ａｃｔｉｏｎ３）。
【０１８８】
ここで、発言開始キーを押下した生徒用ＰｏＣ機能付携帯電話端末８は、発言者モードに設定される。また、発言開始キーを押下しなかった生徒用ＰｏＣ機能付携帯電話端末８は傍聴者モードに設定される。設定結果は、ユーザ管理部２２よってユーザデータ２４に格納される。
【０１８９】
発言権を確保した生徒は、教師が口頭で発表した課題に対する回答となる発言を開始する。生徒用ＰｏＣ機能付携帯電話端末８でＰｏＣキー５６選択信号を、ＰｏＣ機能ブロック１６とユーザ管理部２２が受信する。
【０１９０】
ＰｏＣ機能ブロック１６は、生徒用ＰｏＣ機能付携帯電話端末８にのみ発言権を付与し、他のＰｏＣ機能付携帯電話端末６，１０，１２の発言権を制限する。また、いずれのＰｏＣ機能付携帯電話端末６，８，１０，１２も操作不可能状態となる。
【０１９１】
ユーザ管理部２２は、教師用モードの教師用ＰｏＣ機能付携帯電話端末６には表示部に「採点中」の文字を表示させる「採点中」文字表示信号を送信する。また、教師用ＰｏＣ機能付携帯電話端末６の操作状態についてはオフライン操作可能状態に設定される。この信号を受けて教師用ＰｏＣ機能付携帯電話端末６の表示部に「採点中」の文字が表示される（ＴＴ１４）。
【０１９２】
さらに、ユーザ管理部２２は、発言者モードの生徒用ＰｏＣ機能付携帯電話端末８には表示部に「発言中」の文字を表示させるため、「発言中」文字表示信号を送信する。また、生徒用ＰｏＣ機能付携帯電話端末８の操作状態についてはオンライン操作可能状態に設定する信号を送信する。この信号を受けて生徒用ＰｏＣ機能付携帯電話端末８の表示部に「発言中」の文字が表示される（ＴＳ８）。
【０１９３】
加えて、ユーザ管理部２２は、傍聴者モードの生徒用ＰｏＣ機能付携帯電話端末１０，１２には表示部に「採点中」の文字を表示させるため、「採点中」文字表示信号を送信する。生徒用ＰｏＣ機能付携帯電話端末１０，１２の操作状態についてはオフライン操作可能状態に設定する信号を送付する。この信号を受けて生徒用ＰｏＣ機能付携帯電話端末１０，１２の表示部に「採点中」の文字が表示される（ＴＬ１６）。
【０１９４】
発言者である生徒は自らの生徒用ＰｏＣ機能付携帯電話端末８に対して、ＴＴ８における口頭での質問に対する回答を口頭で行う（ＴＳ１０）。
【０１９５】
この回答（ＴＳ１０）に対して、教師は採点して点数を決定する。この点数は教師用ＰｏＣ機能付携帯電話端末６の操作部５４から入力される（ＴＴ１６）。この段階では、教師用ＰｏＣ機能付携帯電話端末６は、生徒用ＰｏＣ機能付携帯電話端末８の音声を受信中であるため、入力された点数情報をサーバ２に対して送信できない。そこで、点数情報は送信予約される。さらに、生徒の口頭での回答について保存するか否かについても操作部５４から入力されるが同様に送信予約される。
【０１９６】
傍聴者である生徒は、発言者である生徒の回答に対する点数を操作部５４から入力する（ＴＬ１８）。入力された採点結果は直ぐには送信されず送信予約される。
【０１９７】
発言者である生徒の発言権は、オプションで決定された発言権自動開放までの時間の経過または、生徒用ＰｏＣ機能付携帯電話端末８のＰｏＣキー５６を押下することで発言権が開放される（ＴＳ１２）（Ａｃｔｉｏｎ４）。
【０１９８】
ユーザ管理部２２は、生徒用ＰｏＣ機能付携帯電話端末８から送信される発言権開放の信号と発言権取得時からの経過時間が設定された開放時間を経過時のいずれか早い時点で発言権開放信号を各ＰｏＣ機能付携帯電話端末６，８，１０，１２に送信する。
【０１９９】
教師用ＰｏＣ機能付携帯電話端末６が発言権開放信号を受信するとＴＴ１６で入力された採点結果が直ちにサーバ２へ送信される（ＴＴ１８）。教師用ＰｏＣ機能付携帯電話端末６は採点結果が送信されると、発言権取得不可状態となる。
【０２００】
生徒用ＰｏＣ機能付携帯電話端末８は、生徒用ＰｏＣ機能付携帯電話端末８のＰＯＣキー５６を押下すると発言権取得不可状態となる。
【０２０１】
傍聴者モードの生徒用ＰｏＣ機能付携帯電話端末１０，１２が発言権開放信号を受信するとＴＬ８で入力された採点結果が直ちにサーバ２へ送信される（ＴＬ２０）。生徒用ＰｏＣ機能付携帯電話端末１０，１２は採点結果が送信されると、発言権取得不可状態となる。
【０２０２】
ユーザ管理部２２は、教師採点結果と傍聴者採点結果を受信するとＰｏＣ機能付携帯電話端末６，８，１０，１２に対して各表示部に「回答受付中」表示指令信号を送信する。
【０２０３】
ＰｏＣ機能付携帯電話端末６，８，１０，１２は「回答受付中」表示指令信号を受信するとオンライン操作可能状態となり発言権の取得が可能となるとともに、追加機能制御部３３が記憶部４４の表示用データを読み出して表示部に「回答受付中」の文字を表示させる（ＴＴ２０，ＴＳ１４，ＴＬ１２）。この際、生徒用ＰｏＣ機能付携帯電話端末８，１０，１２については、分かりやすいように画面のバックライトが点滅表示される。一方、教師用ＰｏＣ機能付携帯電話端末６の表示部には回答受付中が表示されるがバックライトの点滅はない。ここで、ＰｏＣ機能付携帯電話端末６は、オンライン操作可能状態となり、ＰｏＣ機能付携帯電話端末８，１０，１２は、オフライン操作可能状態となる。
【０２０４】
なお、サーバ２におけるユーザ管理部２２が採点結果と賛否結果を集計してユーザデータ２４に格納する（Ｓ４）。
【０２０５】
教師が質問の受付を終了する場合には、教師用ＰｏＣ機能付携帯電話端末６の発言受付終了キー５８が選択される（ＴＴ２２）（Ａｃｔｉｏｎ５）。
【０２０６】
ユーザ管理部２２は発言受付終了キー５８を受信してユーザデータ２４に格納するとともに生徒用ＰｏＣ機能付携帯電話端末８，１０，１２に対して「回答受付終了表示」を指示する信号を送信する。
【０２０７】
生徒用ＰｏＣ機能付携帯電話端末８，１０，１２は、「回答受付終了表示」を指示する信号を受信すると、その表示部に「回答受付終了」を表示する（ＴＳ１６，ＴＬ１４）。
【０２０８】
以上のフローチャートに従うことで教育現場での使用においては、生徒側のＰｏＣ機能端末は、教師側のＰｏＣ機能で許諾した際にのみ発言権の取得をできるようなる。
【０２０９】
また、教育現場でＰｏＣ通信を行い生徒にＰｏＣ機能端末で発言させた場合に、その評価の点数を教師のＰｏＣ機能端末は、サーバ側へ送信できる。
【０２１０】
さらに、傍聴者によっても極め細やかな採点が可能となり、発言者並びに傍聴者によってより授業に集中するとともに全員参加型の授業の展開が可能となる。
【実施例５】
【０２１１】
続いて本発明の第５の実施例について図１１を用いて説明する。実施例５では、発言者の回答を音声として保存するとともに音声テキスト化により文字情報もまた保存するものである。主にフローチャートが異なるため、フローチャートに沿って以下に詳細に説明する。図１１は、左からサーバ２のフロー、教師用ＰｏＣ機能付携帯電話端末の６フロー、発言者用ＰｏＣ機能付携帯電話端末８のフロー、傍聴者ＰｏＣ機能付携帯電話端末１０，１２の各フローについて示す。
【０２１２】
まず、教師用ＰｏＣ機能付携帯電話端末６は教師モードに設定される。
【０２１３】
教師用ＰｏＣ機能付携帯電話端末６では、授業を設定するために発信権自動開放までの時間と最大参加可能人数を設定する（ＴＴ２）。追加機能制御部３３がＧＵＩ機能で教師用ＰｏＣ機能付携帯電話端末６の表示部に発信権自動開放までの時間と最大参加可能人数を尋ねる画面表示を表示させる。これらの画面表示に従って、これらのオプション数値が教師用ＰｏＣ機能付携帯電話端末６のキー６２で入力される。ここで、教師用ＰｏＣ機能付携帯電話端末６のみがオンライン操作が可能である。
【０２１４】
入力された数値は、教師用ＰｏＣ機能付携帯電話端末６のオプション管理部３４がオプションデータをＰｏＣ通信回線を通じてサーバ２のオプション管理部１８に送信され、オプションデータ２０に格納される（Ｓ２）。
【０２１５】
続いて、教師用ＰｏＣ機能付携帯電話端末６において、ＰｏＣ電話帳３２に格納されるグループリストから対象となる生徒用ＰｏＣ機能付携帯電話８，１０，１２が掲載されるグループが選択され、ＰｏＣキー５６が押下されることでＰｏＣ通信呼び掛けが実行される（ＴＴ４）（Ａｃｔｉｏｎ１）。この呼び掛けによりグループに登録された端末はいずれもオンライン操作が可能となる。
【０２１６】
このＰｏＣ通信呼び掛け（ＴＴ４）を受けて、生徒側ＰｏＣ機能付携帯電話端末８，１０，１２それぞれにおいてＰＯＣキー５６が押下されると、各端末にとってのＰｏＣ参加表明となる（ＴＳ２，ＴＬ２）。このとき授業へ参加した時刻がサーバ２のユーザ管理部２２に通知される。ユーザ管理部２２は、参加時刻データをユーザ毎にユーザデータ２４に格納する。また、サーバ２側のオプション管理部１８が有するオプション設定データが、ＰｏＣ通信網４経由で各参加ＰｏＣ機能付携帯電話端末内のオプション管理部３４に送信される。
【０２１７】
ここで、さらに、教師用ＰｏＣ機能付携帯電話端末６においてＰｏＣキー５６が押下されることでＰｏＣ通信が開始される（ＴＴ６）。そして、ＰｏＣキー５６が押下されたことが、ＳＩＰサーバ５とＰｏＣ機能ブロック１６に伝達されて、教師用ＰｏＣ機能付携帯電話端末６は、発言権を取得することになる。ここで、生徒側ＰｏＣ機能付携帯電話端末８，１０，１２は操作不可能状態となる。
【０２１８】
さらに、このＰＯＣキー５６が押下されたことを示す信号は、ユーザ管理部２２にも伝達される。
【０２１９】
ユーザ管理部２２は、ＰｏＣ機能ブロック１６に対して、教師用ＰｏＣ機能付携帯電話端末６の発言受付開始ボタン選択信号を受信するまでは、教師用ＰｏＣ機能付携帯電話端末６を除く生徒用ＰｏＣ機能付携帯電話端末８，１０，１２の発言権取得の操作が不可能となるよう制御する。
【０２２０】
教師用ＰｏＣ機能付携帯電話端末６は、続けて口頭で生徒達へ何らかの課題となりうる問題を出題する（ＴＴ８）。問題は質問形式で１問のみ出題される。
【０２２１】
続いて、教師用ＰｏＣ機能付携帯電話端末６において、ファンクションボタン５８が押下されることで発言受付開始となる（ＴＴ１０）（Ａｃｔｉｏｎ２）。この発言受付開始信号をＳＩＰサーバ１４とＰｏＣ機能ブロック１６とを介してユーザ管理部２２が受信する。教師用ＰｏＣ機能付携帯電話端末６は、発言受付開始がなされると、操作不可能状態となる。一方、生徒側ＰｏＣ機能付携帯電話端末８，１０，１２はオンライン操作可能状態となる。
【０２２２】
ユーザ管理部２２は、ＰｏＣ機能付携帯電話端末６，８，１０，１２に対して各表示部に「回答受付中」表示指令信号を送信する。
【０２２３】
ＰｏＣ機能付携帯電話端末６，８，１０，１２は、「回答受付中」表示指令信号を受信するとオンライン操作可能状態となり発言権の取得が可能となるとともに、追加機能制御部３３が記憶部４４の表示用データを読み出して表示部に「回答受付中」の文字を表示させる（ＴＴ１２，ＴＳ４，ＴＬ４）。この際、生徒用ＰｏＣ機能付携帯電話端末８，１０，１２については、分かりやすいように画面のバックライトが点滅表示される。一方、教師用ＰｏＣ機能付携帯電話端末６の表示部には回答受付中が表示されるがバックライトの点滅はない。
【０２２４】
生徒が発言権を取得しない限りは、教師用ＰｏＣ機能付携帯電話端末６はオンライン状態にあり、発言受付終了のキー押下することにより質問を取り下げることもできる。
【０２２５】
続いて生徒用ＰｏＣ機能付携帯電話端末８，１０，１２が、教師の質問に対して回答を希望し、教師より許諾された生徒が生徒用ＰｏＣ機能付携帯電話端末８のＰｏＣキー５６すなわち、発言開始キーを押下する（ＴＳ６）（Ａｃｔｉｏｎ３）。
【０２２６】
ここで、発言開始キーを押下した生徒用ＰｏＣ機能付携帯電話端末８は発言者モードに設定される。また、発言開始キーを押下しなかった生徒用ＰｏＣ機能付携帯電話端末８は傍聴者モードに設定される。設定結果は、ユーザ管理部２２よってユーザデータ２４に格納される。
【０２２７】
発言権を確保した生徒は、教師が口頭で発表した課題に対する回答となる発言を開始する。生徒用ＰｏＣ機能付携帯電話端末８でＰＯＣキー５６選択信号は、ＰｏＣ機能ブロック１６とユーザ管理部２２が受信する。
【０２２８】
ＰｏＣ機能ブロック１６は、生徒用ＰｏＣ機能付携帯電話端末８にのみ発言権を付与し、他のＰｏＣ機能付携帯電話端末６，１０，１２の発言権を制限する。また、いずれのＰｏＣ機能付携帯電話端末６，８，１０，１２も操作不可能状態となる。
【０２２９】
ユーザ管理部２２は、教師用モードの教師用ＰｏＣ機能付携帯電話端末６には表示部に「採点中」の文字を表示させるために「採点中」文字表示信号を送信する。また、教師用ＰｏＣ機能付携帯電話端末６の操作状態についてはオフライン操作可能状態に設定される。この信号を受けて教師用ＰｏＣ機能付携帯電話端末６の表示部に「採点中」の文字が表示される（ＴＴ１４）。
【０２３０】
さらに、ユーザ管理部２２は、発言者モードの生徒用ＰｏＣ機能付携帯電話端末８には表示部に「発言中」の文字を表示させるため「発言中」文字表示信号を送信する。また、生徒用ＰｏＣ機能付携帯電話端末８の操作状態についてはオンライン操作可能状態に設定する信号を送信する。この信号を受けて生徒用ＰｏＣ機能付携帯電話端末８の表示部に「発言中」の文字が表示される（ＴＳ８）。
【０２３１】
加えて、ユーザ管理部２２は、傍聴者モードの生徒用ＰｏＣ機能付携帯電話端末１０，１２には表示部に「賛成ｏｒ反対」の文字を表示させるため「賛成ｏｒ反対」文字表示信号を送信する。生徒用ＰｏＣ機能付携帯電話端末１０，１２の操作状態についてはオフライン操作可能状態に設定する信号を送付する。この信号を受けて生徒用ＰｏＣ機能付携帯電話端末１０，１２の表示部に「賛成ｏｒ反対」の文字が表示される（ＴＬ６）。
【０２３２】
発言者である生徒は自らの生徒用ＰｏＣ機能付携帯電話端末８に対して、ＴＴ８における口頭での質問に対する回答を口頭で行う（ＴＳ１０）。
【０２３３】
この回答（ＴＳ１０）に対して、教師は採点して点数を決定する。この点数は、教師用ＰｏＣ機能付携帯電話端末６の操作部５４から入力される（ＴＴ１６）。この段階では、教師用ＰｏＣ機能付携帯電話端末６は、生徒用ＰｏＣ機能付携帯電話端末８の音声を受信中であるため、入力された点数情報はサーバ２に対して送信できない。そこで、点数情報は送信予約される。さらに、生徒の口頭での回答について保存するか否かについても操作部５４から入力されるが同様に送信予約される。
【０２３４】
傍聴者である生徒は、発言者である生徒の回答に対する賛成か反対かを数字１キー６６または数字９キー６８のいずれかを選択して入力する（ＴＬ８）。入力された賛否結果は直ぐには送信されず送信予約される。
【０２３５】
発言者である生徒の発言権はオプションで決定された発言権自動開放までの時間の経過または、生徒用ＰｏＣ機能付携帯電話端末８のＰｏＣキー５６を押下することで発言権が開放される（ＴＳ１２）（Ａｃｔｉｏｎ４）。
【０２３６】
ユーザ管理部２２は、生徒用ＰｏＣ機能付携帯電話端末８から送信される発言権開放の信号と発言権取得時からの経過時間が設定された開放時間を経過時のいずれか早い時点で発言権開放信号を各ＰｏＣ機能付携帯電話端末６，８，１０，１２に送信する。
【０２３７】
教師用ＰｏＣ機能付携帯電話端末６が発言権開放信号を受信するとＴＴ１６で入力された採点結果が直ちにサーバ２へ送信される（ＴＴ１８）。教師用ＰｏＣ機能付携帯電話端末６は採点結果が送信されると、発言権取得不可状態となる。
【０２３８】
生徒用ＰｏＣ機能付携帯電話端末８は、生徒用ＰｏＣ機能付携帯電話端末８のＰｏＣキー５６が押下されると発言権取得不可状態となる。
【０２３９】
傍聴者モードの生徒用ＰｏＣ機能付携帯電話端末１０，１２が発言権開放信号を受信するとＴＬ８で入力された選択結果が直ちにサーバ２へ送信される（ＴＬ１０）。生徒用ＰｏＣ機能付携帯電話端末１０，１２は選択結果が送信されると、発言権取得不可状態となる。
【０２４０】
ユーザ管理部２２は、採点結果と賛否結果を受信するとＰｏＣ機能付携帯電話端末６，８，１０，１２に対して各表示部に「回答受付中」表示指令信号を送信する。
【０２４１】
ＰｏＣ機能付携帯電話端末６，８，１０，１２は「回答受付中」表示指令信号を受信するとオンライン操作可能状態となり発言権の取得が可能となるとともに、追加機能制御部３３が記憶部４４の表示用データを読み出して表示部に「回答受付中」の文字を表示させる（ＴＴ２０，ＴＳ１４，ＴＬ１２）。この際、生徒用ＰｏＣ機能付携帯電話端末８，１０，１２については、分かりやすいように画面のバックライトが点滅表示される。一方、教師用ＰｏＣ機能付携帯電話端末６の表示部には回答受付中が表示されるがバックライトの点滅はない。ここで、ＰｏＣ機能付携帯電話端末６は、オンライン操作可能状態となり、ＰｏＣ機能付携帯電話端末８，１０，１２は、オフライン操作可能状態となる
【０２４２】
なお、サーバ２におけるユーザ管理部２２が採点結果と賛否結果を集計してユーザデータ２４に格納する（Ｓ４）。
【０２４３】
さらに、ここで、サーバ２は音声テキスト変換ソフトウエアを起動させる。この音声テキスト変換ソフトウエアにより保存された発言者による口頭での回答データをテキストデータに変換する。変換された音声テキストデータは、ユーザ管理部２２によってユーザデータ２０として格納される（Ｓ６）。
【０２４４】
教師が質問の受付を終了する場合には、教師用ＰｏＣ機能付携帯電話端末６の発言受付終了キー５８が押下される（ＴＴ２２）（Ａｃｔｉｏｎ５）。
【０２４５】
ユーザ管理部２２は、発言受付終了キー５８を受信してユーザデータ２４に格納するとともに生徒用ＰｏＣ機能付携帯電話端末８，１０，１２に対して「回答受付終了表示」を指示する信号を送信する。
【０２４６】
生徒用ＰｏＣ機能付携帯電話端末８，１０，１２は、「回答受付終了表示」を指示する信号を受信すると、その表示部に「回答受付終了」を表示する（ＴＳ１６，ＴＬ１４）。
【０２４７】
以上のフローチャートに従うことで教育現場での使用においては、生徒側のＰｏＣ機能端末は、教師側のＰｏＣ機能で許諾した際にのみ発言権の取得をできるようなる。
【０２４８】
また、教育現場でＰｏＣ通信を行い生徒にＰｏＣ機能端末で発言させた場合に、教師のＰｏＣ機能端末は、その評価の点数をからサーバ側へ送信できる。
【０２４９】
さらに、保存される音声データについてさらに、音声テキスト変換を行うことで、より正確なデータの保存が可能となる。
【０２５０】
本発明は、ＰｏＣ（ＰＵＳＨ−ｔｏ−Ｔａｌｋ  ｏｖｅｒ  Ｃｅｌｌｕｌａｒ）機能制御システム、ＰｏＣ機能制御方法、ＰｏＣ機能端末並びにＰｏＣ機能制御プログラムに関し、特にＰｏＣ機能端末が他のＰｏＣ機能端末の発言権を制御できる技術に関するものであれば、あらゆるものに適用することが可能であり、その利用の可能性において何ら限定するものではない。
【０２５１】
幾つかの好適な実施の形態及び実施例に関連付けして本発明を説明したが、これら実施の形態及び実施例は単に実例を挙げて発明を説明するためのものであって、限定することを意味するものではないことが理解できる。本明細書を読んだ後であれば、当業者にとって等価な構成要素や技術による数多くの変更および置換が容易であることが明白であるが、このような変更および置換は、添付の請求項の真の範囲及び精神に該当するものであることは明白である。
【０２５２】
本発明は、授業における生徒の発言に対する教師の評価方法の一手段を例示して説明したが、授業に限定されるものではない。
【０２５３】
例えば、発言者の人気投票として活用することができる。例えば、パネルディスカッションにおいて、教師用の端末を司会が持ち、パネリストが発言者端末をもち、聴衆が傍聴者端末を有することでパネルディスカッションにおけるリアルタイムの評価や聴衆の要望を把握することも可能となる。
【０２５４】
さらに、ディベート大会においても教師用の端末を司会が持ち、ディベート参加者が発言者端末をもち、採点者が傍聴者端末を有することでディベートにおけるリアルタイムの評価も可能となる。
【０２５５】
さらに、クイズやゲームにおいても教師用の端末を司会が持ち、クイズやゲーム参加者が発言者端末をもち、採点者が傍聴者端末を有することでクイズやゲームの評価を決定することができる。
【図面の簡単な説明】
【０２５６】
【図１】本発明に係る実施例１におけるＰｏＣ機能制御システムの構成図である。
【図２】本発明に係る実施例１におけるＰｏＣ機能付携帯電話端末の機能ブロック図である。
【図３】本発明に係る実施例１におけるＰｏＣ機能付携帯電話端末のハードウエアブロック図である。
【図４】本発明に係る実施例１におけるＰｏＣ機能付携帯電話端末の外観図である。
【図５】本発明に係る実施例１におけるＰｏＣ機能付携帯電話端末のオプション一覧表である。
【図６】本発明に係る実施例１におけるＰｏＣ機能付携帯電話端末のモード一覧表である。
【図７】本発明に係る実施例１におけるＰｏＣ機能制御方法のフローチャートである。
【図８】本発明に係る実施例２におけるＰｏＣ機能制御方法のフローチャートである。
【図９】本発明に係る実施例３におけるＰｏＣ機能制御方法のフローチャートである。
【図１０】本発明に係る実施例４におけるＰｏＣ機能制御方法のフローチャートである。
【図１１】本発明に係る実施例５におけるＰｏＣ機能制御方法のフローチャートである。
【符号の説明】
【０２５７】
１  ＰｏＣ機能制御システム
２  サーバ
４  ＰｏＣ通信網
６，８，１０，１２  ＰｏＣ機能付携帯電話端末
１４  ＳＩＰ（Ｓｅｓｓｉｏｎ  Ｉｎｉｔｉａｔｉｏｎ  Ｐｒｏｔｏｃｏｌ：エスアイピー）サーバ
１６  ＰｏＣ機能ブロック
１８  オプション管理部
２０  オプションデータ
２２  ユーザ管理部
２４  ユーザデータ
３０  呼制御に関する基本機能
３２  ＰｏＣ電話帳
３３  追加機能制御部
３４  オプション管理部
３６  モード制御部
３８  ユーザ管理部
４０  ＰｏＣ機能付携帯電話端末
４２  制御部
４４  記憶部
４６  通信部
４８  アンテナ
５０  音声入出力
５１  スピーカ
５２  表示部
５３  マイク
５４  操作部
５６  ＰｏＣキー
５８  ファンクションキー１
６０  ファンクションキー２
６２  テンキー
６４  デリミタキー
６６  数字１キー（賛成）
６８  数字９キー（反対）
【図１】
2009089094.tif 000003
【図２】
2009089094.tif 000004
【図３】
2009089094.tif 000005
【図４】
2009089094.tif 000006
【図５】
2009089094.tif 000007
【図６】
2009089094.tif 000008
【図７】
2009089094.tif 000009
【図８】
2009089094.tif 000010
【図９】
2009089094.tif 000011
【図１０】
2009089094.tif 000012
【図１１】
2009089094.tif 000013